(57)【要約】  ビームを測定するための方法は、ビーム障害検出（BFD）参照信号（RS）セットの1つまたは複数の周期的なBFD RSの周期に従って測定周期持続時間を決定するステップであって、BFD RSセットの1つまたは複数のBFD RSのうちのBFD RSに、ユーザ機器（UE）（210）によって監視されるPDCCH（224）受信の復調RS（DMRS）との疑似コロケートされた（QCL）関係がある、ステップと、測定周期中に発生するUE（210）によって監視されるPDCCH（224）受信のDMRSとのQCL関係がある1つまたは複数のBFD RSのサブセットを監視するステップと、1つまたは複数のBFD RSのサブセット内のすべてのBFD RSの測定値が指定の閾値を満たさないと判断し、この判断に基づいて、ビーム障害（BF）インスタンスを報告するステップと、を含む。
2021513272.tif 000002
【特許請求の範囲】
【請求項１】
ビームを測定するためのコンピュータ実装方法であって、前記方法が、
ユーザ機器（user equipment（UE））が、複数の測定周期内の測定周期の測定周期持続時間を決定するステップであって、前記測定周期持続時間が、ビーム障害検出（beam failure detection（BFD））参照信号（reference signal（RS））セットの1つまたは複数の周期的なBFD RSの周期に従って決定され、前記BFD RSセットの前記1つまたは複数のBFD RSのうちの前記BFD RSに、前記UEによって監視されるPDCCH受信の復調RS（demodulation RS（DMRS））との疑似コロケートされた（quasi−co−located（QCL））関係がある、ステップと、
前記UEが、測定周期中に発生する前記UEによって監視されるPDCCH受信の前記DMRSとの前記QCL関係がある前記1つまたは複数のBFD RSのサブセットを監視するステップと、
前記UEが、前記1つまたは複数のBFD RSの前記サブセット内のすべてのBFD RSの測定値が指定の閾値を満たさないと判断し、前記判断に基づいて、
前記UEが、ビーム障害（beam failure（BF））インスタンスを報告するステップと
を含む、コンピュータ実装方法。
【請求項２】
前記UEが、前記測定周期中に発生する前記UEによって監視されるPDCCH受信の前記DMRSとの前記QCL関係がある前記1つまたは複数のBFD RSすべてを監視する、請求項1に記載の方法。
【請求項３】
前記1つまたは複数のBFD RSの前記サブセット内のすべてのBFD RSの前記測定値が前記指定の閾値を満たさない場合、前記UEが、前記1つまたは複数のBFD RSの前記サブセット内の前記BFD RSに関する情報を報告するステップをさらに含む、請求項1または2に記載の方法。
【請求項４】
前記測定値が信号品質測定値であり、前記1つまたは複数のBFD RSの前記サブセット内のすべてのBFD RSの前記測定値が前記指定の閾値を満たさないと判断するステップが、前記1つまたは複数のBFD RSの前記サブセット内のすべてのBFD RSの前記測定値が前記指定の閾値を超えないと判断するステップを含む、請求項1、2、または3に記載の方法。
【請求項５】
前記測定値がブロック誤り率（block error rate（BLER））であり、前記1つまたは複数のBFD RSの前記サブセット内のすべてのBFD RSの前記測定値が前記指定の閾値を満たさないと判断するステップが、前記1つまたは複数のBFD RSの前記サブセット内のすべてのBFD RSの前記測定値が前記指定の閾値を超えると判断するステップを含む、請求項1、2、または3に記載の方法。
【請求項６】
前記測定周期持続時間が、前記1つまたは複数のBFD RS内の任意のBFD RSの最短周期に従って決定される、請求項1、2、または3に記載の方法。
【請求項７】
前記測定周期持続時間が、前記1つまたは複数のBFD RS内の任意のBFD RSの最短周期と指定の値との最大値に従って決定される、請求項1、2、または3に記載の方法。
【請求項８】
前記測定周期持続時間が、前記1つまたは複数のBFD RS内の任意のBFD RSの前記最短周期と指定の値との間の最大値に従って決定される、請求項1、2、または3に記載の方法。
【請求項９】
BFD RSが、チャネル状態情報参照信号（channel station information reference signal（CSI−RS））構成、同期信号（synchronization signal（SS））ブロック、または物理ブロードキャストチャネル（physical broadcast channel（PBCH））ブロックを含む、請求項1、2、3、6、7、または8に記載の方法。
【請求項１０】
前記測定周期持続時間を決定するステップ、前記BFD RSの前記サブセットを監視するステップ、およびすべてのBFD RSの測定値を決定するステップが、前記UEの物理（physical（PHY））層エンティティによって行われ、前記BFインスタンスが前記UEの上位層エンティティに報告される、請求項1、2、3、6、7、または8に記載の方法。
【請求項１１】
前記上位層エンティティが、媒体アクセス制御（media access control（MAC））層エンティティである、請求項10に記載の方法。
【請求項１２】
前記UEが、1つまたは複数の報告されたBFインスタンスに従ってBFが発生していると判断するステップと、
前記UEが、候補ビームを識別するステップと、
前記UEが、前記候補ビームに従ってビーム障害回復要求（beam failure recovery request（BFRQ））を送信するステップと
をさらに含む、請求項1、2、3、6、7、または8に記載の方法。
【請求項１３】
複数のBFインスタンスが指定の数の連続した測定周期にわたって発生する場合にBFが宣言される、請求項1、2、3、6、7、または8に記載の方法。
【請求項１４】
ビームを測定するためのコンピュータ実装方法であって、前記方法が、
ユーザ機器（UE）が、複数の測定周期内の測定周期の測定周期持続時間を決定するステップであって、前記測定周期持続時間が、ビーム障害検出（BFD）参照信号（RS）セットの1つまたは複数の周期的なBFD RSの周期に従って決定され、前記BFD RSセットの前記1つまたは複数のBFD RSが、前記UEによって監視される制御チャネル受信の復調参照信号（DMRS）と疑似コロケートされ、前記BFD RSセットの前記1つまたは複数のBFD RSが前記UEによって無線リンク品質を評価するために使用される、ステップと、
複数の測定周期の各々において、
前記UEが、前記無線リンク品質が指定の閾値より悪いと判断し、前記判断に基づいて、
前記UEが、ビーム障害（BF）インスタンスを報告するステップと
を含む、コンピュータ実装方法。
【請求項１５】
前記無線リンク品質が前記指定の閾値より悪いと判断するステップが、前記測定周期中に発生する前記BFD RSセットの前記1つまたは複数のBFD RSのサブセット内のすべてのBFD RSの測定値が前記指定の閾値を満たさないと判断するステップを含む、請求項14に記載の方法。
【請求項１６】
前記制御チャネル受信が物理下り制御チャネル（physical downlink control channel（PDCCH））受信である、請求項14または15に記載の方法。
【請求項１７】
前記測定周期持続時間が、前記1つまたは複数のBFD RS内の任意のBFD RSの最短周期に従って決定される、請求項14、15、または16に記載の方法。
【請求項１８】
前記測定周期持続時間が、前記1つまたは複数のBFD RS内の任意のBFD RSの最短周期と指定の値との最大値に従って決定される、請求項14、15、または16に記載の方法。
【請求項１９】
前記測定周期持続時間が、前記1つまたは複数のBFD RS内の任意のBFD RSの前記最短周期と指定の値との間の最大値に従って決定される、請求項14、15、または16に記載の方法。
【請求項２０】
前記測定周期持続時間を決定するステップ、および前記無線リンク品質が悪いと判断するステップが、前記UEの物理（PHY）層エンティティによって行われ、前記BFインスタンスが前記UEの上位層エンティティに報告される、請求項14、15、または16に記載の方法。
【請求項２１】
前記UEが、1つまたは複数の報告されたBFインスタンスに従ってBFが発生していると判断するステップと、
前記UEが、候補ビームを識別するステップと、
前記UEが、前記候補ビームに従ってビーム障害回復要求（BFRQ）を送信するステップと
をさらに含む、請求項14、15、16、または20に記載の方法。
【請求項２２】
複数のBFインスタンスが指定の数の連続した測定周期にわたって発生する場合にBFが宣言される、請求項13、14、15、16、または20に記載の方法。
【請求項２３】
ユーザ機器（UE）であって、
命令を含むメモリストレージと、
前記メモリストレージと通信する1つまたは複数のプロセッサであって、前記1つまたは複数のプロセッサが、
複数の測定周期内の測定周期の測定周期持続時間を決定する前記命令であって、前記測定周期持続時間が、ビーム障害検出（BFD）参照信号（RS）セットの1つまたは複数の周期的なBFD RSの周期に従って決定され、前記BFD RSセットの前記1つまたは複数のBFD RSのうちの前記BFD RSに、前記UEによって監視されるPDCCH受信の復調RS（DMRS）との疑似コロケートされた（QCL）関係がある、前記命令と、
測定周期中に発生する前記UEによって監視されるPDCCH受信の前記DMRSとの前記QCL関係がある前記1つまたは複数のBFD RSのサブセットを監視する前記命令と、
前記1つまたは複数のBFD RSの前記サブセット内のすべてのBFD RSの測定値が指定の閾値を満たさないと判断し、前記判断に基づいて、
ビーム障害（BF）インスタンスを報告する前記命令と
を実行する、1つまたは複数のプロセッサと
を含む、UE。
【請求項２４】
前記1つまたは複数のプロセッサが、前記1つまたは複数のBFD RSの前記サブセット内のすべてのBFD RSの前記測定値が前記指定の閾値を満たさない場合、前記1つまたは複数のBFD RSの前記サブセット内の前記BFD RSに関する情報を報告する前記命令をさらに実行する、請求項23に記載のUE。
【請求項２５】
前記測定値が信号品質測定値であり、前記1つまたは複数のプロセッサが、前記1つまたは複数のBFD RSの前記サブセット内のすべてのBFD RSの前記測定値が前記指定の閾値を超えないと判断する前記命令をさらに実行する、請求項23または24に記載のUE。
【請求項２６】
前記測定値がブロック誤り率（BLER）であり、前記1つまたは複数のプロセッサが、前記1つまたは複数のBFD RSの前記サブセット内のすべてのBFD RSの前記測定値が前記指定の閾値を超えると判断する前記命令をさらに実行する、請求項23または24に記載のUE。
【請求項２７】
前記1つまたは複数のプロセッサが、1つまたは複数の報告されたBFインスタンスに従ってBFが発生していると判断する前記命令と、候補ビームを識別する前記命令と、前記候補ビームに従ってビーム障害回復要求（BFRQ）を送信する前記命令とをさらに実行する、請求項23または24に記載のUE。
【請求項２８】
前記測定周期持続時間が、前記1つまたは複数のBFD RS内の任意のBFD RSの最短周期に従って決定される、請求項23または24に記載のUE。
【請求項２９】
前記測定周期持続時間が、前記1つまたは複数のBFD RS内の任意のBFD RSの最短周期と指定の値との最大値に従って決定される、請求項23または24に記載のUE。
【請求項３０】
前記測定周期持続時間が、前記1つまたは複数のBFD RS内の任意のBFD RSの前記最短周期と指定の値との間の最大値に従って決定される、請求項23または24に記載のUE。
【請求項３１】
ユーザ機器（UE）であって、
命令を含むメモリストレージと、
前記メモリストレージと通信する1つまたは複数のプロセッサであって、前記1つまたは複数のプロセッサが、
複数の測定周期内の測定周期の測定周期持続時間を決定する前記命令であって、前記測定周期持続時間が、ビーム障害検出（BFD）参照信号（RS）セットの1つまたは複数の周期的なBFD RSの周期に従って決定され、前記BFD RSセットの前記1つまたは複数のBFD RSが、前記UEによって監視される制御チャネル受信の復調参照信号（DMRS）と疑似コロケートされ、前記BFD RSセットの前記1つまたは複数のBFD RSが前記UEによって無線リンク品質を評価するために使用される、前記命令と、
複数の測定周期の各々において、
前記無線リンク品質が指定の閾値より悪いと判断し、前記判断に基づいて、
ビーム障害（BF）インスタンスを報告する前記命令と
を実行する、1つまたは複数のプロセッサと
を含む、UE。
【請求項３２】
前記1つまたは複数のプロセッサが、前記測定周期中に発生する前記BFD RSセットの前記1つまたは複数のBFD RSのサブセット内のすべてのBFD RSの測定値が前記指定の閾値を満たさないと判断する前記命令をさらに実行する、請求項31に記載のUE。
【請求項３３】
前記制御チャネル受信が物理下り制御チャネル（PDCCH）受信である、請求項31または32に記載のUE。
【請求項３４】
ユーザ機器（UE）であって、
命令を含むメモリストレージと、
前記メモリストレージと通信する1つまたは複数のプロセッサであって、前記1つまたは複数のプロセッサが、
請求項1から13のいずれか一項に記載の方法を行う前記命令
を実行する、1つまたは複数のプロセッサと
を含む、UE。
【請求項３５】
ユーザ機器（UE）であって、
命令を含むメモリストレージと、
前記メモリストレージと通信する1つまたは複数のプロセッサであって、前記1つまたは複数のプロセッサが、
請求項14から22のいずれか一項に記載の方法を行う前記命令
を実行する、1つまたは複数のプロセッサと
を含む、UE。
【発明の詳細な説明】
【技術分野】
【０００１】
本出願は、「System and Method for Periodic Beam Failure Measurements」という名称の、2018年8月9日に出願された、米国仮特許出願第62／716，580号、「System and Method for Periodic Beam Failure Measurements」という名称の、2018年3月21日に出願された、米国仮特許出願第62／645，911号、および「Apparatus and Method for Reporting Beam Failure」という名称の、2018年2月9日に出願された、米国仮特許出願第62／628，799号の利益を主張するものであり、これらの出願は参照によりその全体が本明細書に組み込まれる。
【０００２】
本開示は、一般に、デジタル通信のためのシステムおよび方法に関し、特定の実施形態においては、周期的なビーム障害測定のためのシステムおよび方法に関する。
【背景技術】
【０００３】
第5世代（5G）の新無線（NR）システムアーキテクチャの1つの可能な導入シナリオは、高周波（HF）（6ギガヘルツ（GHz）以上、例えばミリメートル波長（mmWave）の動作周波数を使用して、輻輳した低周波数で利用可能なものよりも大きな利用可能帯域幅を活用し、干渉を低減する。しかしながら、伝搬損失が大きな問題である。高い伝搬損失を克服するためにビームフォーミングが使用され得る。
【０００４】
しかしながら、ビームは遮断されがちである。したがって、通信に使用されているビームが遮断されて機能しなくなり、通信機器が未接続状態のままになる可能性がある。したがって、ビーム障害を検出する周期的なビーム障害測定のためのシステムおよび方法が求められている。
【発明の概要】
【課題を解決するための手段】
【０００５】
例示的実施形態は、周期的なビーム障害測定のためのシステムおよび方法を提供する。
【０００６】
一例示的実施形態によれば、ビームを測定するためのコンピュータ実装方法が提供される。方法は、ユーザ機器（user equipment（UE））が、複数の測定周期内の測定周期の測定周期持続時間を決定するステップであって、測定周期持続時間が、ビーム障害検出（beam failure detection（BFD））参照信号（reference signal（RS））セットの1つまたは複数の周期的なBFD RSの周期に従って決定され、BFD RSセットの1つまたは複数のBFD RSのうちのBFD RSに、UEによって監視されるPDCCH受信の復調RS（demodulation RS（DMRS））との疑似コロケートされた（quasi−co−located（QCL））関係がある、ステップと、UEが、測定周期中に発生するUEによって監視されるPDCCH受信のDMRSとのQCL関係がある1つまたは複数のBFD RSのサブセットを監視するステップと、UEが、1つまたは複数のBFD RSのサブセット内のすべてのBFD RSの測定値が指定の閾値を満たさないと判断し、この判断に基づいて、UEが、ビーム障害（beam failure（BF））インスタンスを報告するステップと、を含む。
【０００７】
任意選択で、前述の実施形態のいずれかにおける、UEが、測定周期中に発生するUEによって監視されるPDCCH受信のDMRSとのQCL関係があるすべての1つまたは複数のBFD RSを監視する実施形態。
【０００８】
任意選択で、前述の実施形態のいずれかにおいて、一実施形態は、1つまたは複数のBFD RSのサブセット内のすべてのBFD RSの測定値が指定の閾値を満たさない場合、UEが、1つまたは複数のBFD RSのサブセット内のBFD RSに関する情報を報告するステップをさらに含む。
【０００９】
任意選択で、前述の実施形態のいずれかにおける、測定値が信号品質測定値であり、1つまたは複数のBFD RSのサブセット内のすべてのBFD RSの測定値が指定の閾値を満たさないと判断するステップが、1つまたは複数のBFD RSのサブセット内のすべてのBFD RSの測定値が指定の閾値を超えないと判断するステップを含む実施形態。
【００１０】
任意選択で、前述の実施形態のいずれかにおける、測定値がブロック誤り率（block error rate（BLER））であり、1つまたは複数のBFD RSのサブセット内のすべてのBFD RSの測定値が指定の閾値を満たさないと判断するステップが、1つまたは複数のBFD RSのサブセット内のすべてのBFD RSの測定値が指定の閾値を超えると判断するステップを含む実施形態。
【００１１】
任意選択で、前述の実施形態のいずれかにおける、測定周期持続時間が、1つまたは複数のBFD RS内の任意のBFD RSの最短周期に従って決定される実施形態。
【００１２】
任意選択で、前述の実施形態のいずれかにおける、測定周期持続時間が、1つまたは複数のBFD RS内の任意のBFD RSの最短周期と指定の値との最大値に従って決定される実施形態。
【００１３】
任意選択で、前述の実施形態のいずれかにおける、測定周期持続時間が、1つまたは複数のBFD RS内の任意のBFD RSの最短周期と指定の値との間の最大値に従って決定される実施形態。
【００１４】
任意選択で、前述の実施形態のいずれかにおける、BFD RSが、チャネル状態情報参照信号（channel station information reference signal（CSI−RS））構成、同期信号（synchronization signal（SS））ブロック、または物理ブロードキャストチャネル（physical broadcast channel（PBCH））ブロックを含む実施形態。
【００１５】
任意選択で、前述の実施形態のいずれかにおける、測定周期持続時間を決定するステップ、BFD RSのサブセットを監視するステップ、およびすべてのBFD RSの測定値を決定するステップが、UEの物理（physical（PHY））層エンティティによって行われ、BFインスタンスがUEの上位層エンティティに報告される実施形態。
【００１６】
任意選択で、前述の実施形態のいずれかにおける、上位層エンティティが、媒体アクセス制御（media access control（MAC））層エンティティである実施形態。
【００１７】
任意選択で、前述の実施形態のいずれかにおいて、一実施形態は、UEが、1つまたは複数の報告されたBFインスタンスに従ってBFが発生していると判断するステップと、UEが、候補ビームを識別するステップと、UEが、候補ビームに従ってビーム障害回復要求（beam failure recovery request（BFRQ））を送信するステップと、をさらに含む。
【００１８】
任意選択で、前述の実施形態のいずれかにおける、複数のBFインスタンスが指定の数の連続した測定周期にわたって発生する場合にBFが宣言される実施形態。
【００１９】
一例示的実施形態によれば、ビームを測定するためのコンピュータ実装方法が提供される。方法は、UEが、複数の測定周期内の測定周期の測定周期持続時間を決定するステップであって、測定周期持続時間が、BFD RSセットの1つまたは複数の周期的なBFD RSの周期に従って決定され、BFD RSセットの1つまたは複数のBFD RSがUEによって監視される制御チャネル受信のDMRSと疑似コロケートされ、BFD RSセットの1つまたは複数のBFD RSがUEによって無線リンク品質を評価するために使用される、ステップと、複数の測定周期の各々において、UEが、無線リンク品質が指定の閾値より悪いと判断し、この判断に基づいて、UEが、BFインスタンスを報告するステップと、を含む。
【００２０】
任意選択で、前述の実施形態のいずれかにおける、無線リンク品質が指定の閾値より悪いと判断するステップが、測定周期中に発生するBFD RSセットの1つまたは複数のBFD RSのサブセット内のすべてのBFD RSの測定値が指定の閾値を満たさないと判断するステップを含む実施形態。
【００２１】
任意選択で、前述の実施形態のいずれかにおける、制御チャネル受信が物理下り制御チャネル（PDCCH）受信である実施形態。
【００２２】
任意選択で、前述の実施形態のいずれかにおける、測定周期持続時間が、1つまたは複数のBFD RS内の任意のBFD RSの最短周期に従って決定される実施形態。
【００２３】
任意選択で、前述の実施形態のいずれかにおける、測定周期持続時間が、1つまたは複数のBFD RS内の任意のBFD RSの最短周期と指定の値との最大値に従って決定される実施形態。
【００２４】
任意選択で、前述の実施形態のいずれかにおける、測定周期持続時間が、1つまたは複数のBFD RS内の任意のBFD RSの最短周期と指定の値との間の最大値に従って決定される実施形態。
【００２５】
任意選択で、前述の実施形態のいずれかにおける、測定周期持続時間を決定するステップ、および無線リンク品質が悪いと判断するステップが、UEのPHY層エンティティによって行われ、BFインスタンスがUEの上位層エンティティに報告される実施形態。
【００２６】
任意選択で、前述の実施形態のいずれかにおいて、一実施形態は、UEが、1つまたは複数の報告されたBFインスタンスに従ってBFが発生していると判断するステップと、UEが、候補ビームを識別するステップと、UEが、候補ビームに従ってBFRQを送信するステップと、をさらに含む。
【００２７】
任意選択で、前述の実施形態のいずれかにおける、複数のBFインスタンスが指定の数の連続した測定周期にわたって発生する場合にBFが宣言される実施形態。
【００２８】
一例示的実施形態によれば、UEが提供される。UEは、命令を含むメモリストレージと、メモリストレージと通信する1つまたは複数のプロセッサとを含む。1つまたは複数のプロセッサは、複数の測定周期内の測定周期の測定周期持続時間を決定する命令であって、測定周期持続時間が、BFD RSセットの1つまたは複数の周期的なBFD RSの周期に従って決定され、BFD RSセットの1つまたは複数のBFD RSのうちのBFD RSに、UEによって監視されるPDCCH受信のDMRSとのQCL関係がある、命令と、測定周期中に発生するUEによって監視されるPDCCH受信のDMRSとのQCL関係がある1つまたは複数のBFD RSのサブセットを監視する命令と、1つまたは複数のBFD RSのサブセット内のすべてのBFD RSの測定値が指定の閾値を満たさないと判断し、この判断に基づいて、BFインスタンスを報告する命令と、を実行する。
【００２９】
任意選択で、前述の実施形態のいずれかにおける、1つまたは複数のプロセッサが、1つまたは複数のBFD RSのサブセット内のすべてのBFD RSの測定値が指定の閾値を満たさない場合、1つまたは複数のBFD RSのサブセット内のBFD RSに関する情報を報告する命令をさらに実行する実施形態。
【００３０】
任意選択で、前述の実施形態のいずれかにおける、測定値が信号品質測定値であり、1つまたは複数のプロセッサが、1つまたは複数のBFD RSのサブセット内のすべてのBFD RSの測定値が指定の閾値を超えないと判断する命令をさらに実行する実施形態。
【００３１】
任意選択で、前述の実施形態のいずれかにおける、測定値がBLERであり、1つまたは複数のプロセッサが、1つまたは複数のBFD RSのサブセット内のすべてのBFD RSの測定値が指定の閾値を超えると判断する命令をさらに実行する実施形態。
【００３２】
任意選択で、前述の実施形態のいずれかにおける、1つまたは複数のプロセッサが、1つまたは複数の報告されたBFインスタンスに従ってBFが発生していると判断する命令と、候補ビームを識別する命令と、候補ビームに従ってBFRQを送信する命令と、をさらに実行する実施形態。
【００３３】
任意選択で、前述の実施形態のいずれかにおける、測定周期持続時間が、1つまたは複数のBFD RS内の任意のBFD RSの最短周期に従って決定される実施形態。
【００３４】
任意選択で、前述の実施形態のいずれかにおける、測定周期持続時間が、1つまたは複数のBFD RS内の任意のBFD RSの最短周期と指定の値との最大値に従って決定される実施形態。
【００３５】
任意選択で、前述の実施形態のいずれかにおける、測定周期持続時間が、1つまたは複数のBFD RS内の任意のBFD RSの最短周期と指定の値との間の最大値に従って決定される実施形態。
【００３６】
一例示的実施形態によれば、UEが提供される。UEは、命令を含むメモリストレージと、メモリストレージと通信する1つまたは複数のプロセッサとを含む。1つまたは複数のプロセッサは、複数の測定周期内の測定周期の測定周期持続時間を決定する命令であって、測定周期持続時間が、BFD RSセットの1つまたは複数の周期的なBFD RSの周期に従って決定され、BFD RSセットの1つまたは複数のBFD RSがUEによって監視される制御チャネル受信のDMRSと疑似コロケートされ、BFD RSセットの1つまたは複数のBFD RSがUEによって無線リンク品質を評価するために使用される、命令と、複数の測定周期の各々において、無線リンク品質が指定の閾値より悪いと判断し、この判断に基づいて、BFインスタンスを報告する命令と、を実行する。
【００３７】
任意選択で、前述の実施形態のいずれかにおける、1つまたは複数のプロセッサが、測定周期中に発生するBFD RSセットの1つまたは複数のBFD RSのサブセット内のすべてのBFD RSの測定値が指定の閾値を満たさないと判断する命令をさらに実行する実施形態。
【００３８】
任意選択で、前述の実施形態のいずれかにおける、制御チャネル受信がPDCCH受信である実施形態。
【００３９】
前述の実施形態の実施により、通信機器は、リンク品質を評価されたビーム障害検出参照信号のみに基づいてビーム障害測定の周期を決定することができるようになる。（測定セットのすべてのビーム障害参照信号ではなく）リンク品質を評価されたビーム障害検出参照信号のみに基づいてビーム障害測定の周期を設定することにより、通信機器が、各測定周期で評価する必要がある少なくとも1つのビーム障害検出参照信号を測定できることが確実になる。
【００４０】
前述の実施形態の実施により、通信機器が各測定周期で評価する必要がある少なくとも1つのビーム障害検出参照信号があることが確実になる。よって、ビーム障害インスタンスの追跡は、通信機器によって評価されていないビーム障害検出参照信号を欠く測定周期によって歪められなくなる。
【００４１】
本開示、および本開示の利点のより十分な理解のために、次に、添付の図面と併せて以下の説明を参照する。
【図面の簡単な説明】
【００４２】
【図１】例示的な無線通信システムを示す図である。
【図２】アクセスノードとUEとの間の例示的なチャネル構造を強調した通信システムを示す図である。
【図３】ビーム障害およびビーム障害回復を強調した無線通信システムを示す図である。
【図４】UEがBFD RSを評価していない測定周期を強調した第1の例示的なBFD RSのシーケンスを示す図である。
【図５】UEがBFD RSを評価していない測定周期を強調した第2の例示的なBFD RSのシーケンスを示す図である。
【図６】本明細書に記載される例示的実施形態による無線リンク品質の評価において評価された周期的なBFD RSのみの最短周期に従って設定された持続時間を有する測定周期中に行われたBF測定を強調した第3の例示的なBFD RSのシーケンスを示す図である。
【図７】本明細書に記載される例示的実施形態による無線リンク品質の評価において評価された周期的なBFD RSのみの最短周期に従って設定された持続時間を有する測定周期中に行われたBF測定を強調した第4の例示的なBFD RSのシーケンスを示す図である。
【図８】本明細書に記載される例示的実施形態による無線リンク品質の評価において評価された周期的なBFD RSのみの最長周期に従って設定された持続時間を有する測定周期中に行われたBF測定を強調した第5の例示的なBFD RSのシーケンスを示す図である。
【図９】本明細書に記載される例示的実施形態による、BF測定を行い、しかるべく応答するUEにおいて行われる例示的な動作を示す流れ図である。
【図１０】本明細書に記載される例示的実施形態による、BFインスタンスを処理し、しかるべく応答するUEにおいて行われる例示的な動作を示す流れ図である。
【図１１】本明細書に記載される例示的実施形態による、ビーム障害インスタンスの連続した発生を数えるためのカウンタに対するBFD RS送信なしの測定周期の影響をしかるべく強調した例示的なBFD RSのシーケンスを示す図である。
【図１２】本明細書に記載される例示的実施形態による、BFD RS送信なしの測定周期の第1の考え方をしかるべく強調した例示的なBFD RSのシーケンスを示す図である。
【図１３】本明細書に記載される例示的実施形態による、BFD RS送信なしの測定周期の第2の考え方をしかるべく強調した例示的なBFD RSのシーケンスを示す図である。
【図１４】本明細書に記載される例示的実施形態による、ビーム障害をしかるべく判断するためにBFD RSを検出するUEにおいて行われる第1の例示的な動作を示す流れ図である。
【図１５】本明細書に記載される例示的実施形態による、ビーム障害をしかるべく判断するためにBFD RSを検出するUEにおいて行われる第2の例示的な動作を示す流れ図である。
【図１６】本明細書に記載される例示的実施形態による例示的な通信システムを示す図である。
【図１７Ａ】本開示による方法および教示を実施し得る例示的機器を示す図である。
【図１７Ｂ】本開示による方法および教示を実施し得る例示的機器を示す図である。
【図１８】本明細書で開示される機器および方法を実施するために使用され得るコンピューティングシステムのブロック図である。
【発明を実施するための形態】
【００４３】
開示の実施形態の製作および使用について以下で詳細に論じる。しかし、本開示は、多種多様な個別のコンテキストにおいて具体化することができる多くの適用可能な発明概念を提供するものであることを理解されたい。論じられる特定の実施形態は、単に、実施形態を製作および使用する特定のやり方を例示するにすぎず、本開示の範囲を限定するものではない。
【００４４】
図1に例示的な無線通信システム100を示す。通信システム100は、ユーザ機器（UE）115にサービスするアクセスノード105を含む。第1の動作モードでは、UE115との間の通信はアクセスノード105を通る。第2の動作モードでは、UE115との間の通信はアクセスノード105を通らないが、アクセスノード105は通常、UE115によって通信に使用されるリソースを割り振る。アクセスノードは一般に、ノードB、進化型ノードB（eNB）、次世代（NG）ノードB（gNB）、マスタeNB（MeNB）、セカンダリeNB（SeNB）、マスタgNB（MgNB）、セカンダリgNB（SgNB）、ネットワークコントローラ、制御ノード、基地局、アクセスポイント、送信点（TP）、送受信点（TRP）、セル、キャリア、マクロセル、フェムトセル、ピコセルなどとも呼ばれ得、UEは一般に、移動局、モバイル、端末、ユーザ、加入者、局などとも呼ばれ得る。アクセスノードは、1つまたは複数の無線通信プロトコル、例えば、第3世代パートナーシッププロジェクト（3GPP）、ロングタームエボリューション（LTE）、ロングタームエボリューションアドバンスト（LTE−A）、5G、5G LTE、5G NR、高速パケットアクセス（HSPA）、Wi−Fi 802．11a／b／g／n／acなどによる無線アクセスを提供し得る。通信システムは多数のUEと通信できる複数のeNBを用い得ることが理解されるが、簡略にするために1台のみのeNBと多数のUEとが示されている。
【００４５】
通信システムは多数のUEと通信できる複数のアクセスノードを用い得ることが理解されるが、簡略にするために1台のアクセスノードおよび1台のUEのみが示されている。
【００４６】
前述のように、高周波（HF）（6ギガヘルツ（GHz）以上、例えばミリメートル波長（mmWave））の動作周波数で動作する通信システムにおける伝搬損失は高く、高い伝搬損失を克服するためにビームフォーミングが使用され得る。図1に示されるように、アクセスノード105とUE115の両方がビームフォーミングされた送信および受信を使用して通信する。一例として、アクセスノード105は、ビーム110およびビーム112を含む複数の通信ビームを使用して通信し、UE115は、ビーム120およびビーム122を含む複数の通信ビームを使用して通信する。
【００４７】
ビームは、コードブックベースのプリコーディングのコンテキストでの事前定義されたビームフォーミング重みのセット、または非コードブックベースのプリコーディング（固有ベースのビームフォーミング（Eigen−based beamforming（EBB））など）のコンテキストでの事前定義されたビームフォーミング重みのセットであり得る。ビームはまた、無線周波数（radio frequency（RF））領域のアンテナアレイからの信号を結合する事前定義された位相シフトプリプロセッサのセットでもあり得る。UEは、コードブックベースのプリコーディングに依拠して上り信号を送信し、下り信号を受信し得るが、TRPは、非コードブックベースのプリコーディングに依拠して、下り信号を送信および／または上り信号を受信するための特定の放射パターンを形成し得ることを理解されたい。
【００４８】
図2に、アクセスノード205とUE210との間の例示的なチャネル構造を強調した通信システム200を示す。双方向通信の実施態様では、アクセスノード205とUE210との間に下りチャネル220と上りチャネル230とがある。下りチャネル220および上りチャネル230は、複数の単方向チャネルを各々含み得る。図2に示されるように、下りチャネル220は、特に、物理下り共有チャネル（physical downlink shared channel（PDSCH））222および物理下り制御チャネル（PDCCH）224を含み、上りチャネル230は、特に、物理上り制御チャネル（physical uplink control channel（PUCCH））232および物理ランダムアクセスチャネル（physical random access channel（PRACH））234を含む。下りチャネル220または上りチャネル230には他のチャネルも存在し得るが、図2には示されていない。
【００４９】
図3に、ビーム障害およびビーム障害回復を強調した無線通信システム300を示す。通信システム300は、UE315にサービスするアクセスノード305を含む。図3に示されるように、アクセスノード305とUE315はどちらもビームフォーミングされた送信および受信を使用して通信する。一例として、アクセスノード305は、ビーム310およびビーム312を含む複数の通信ビームを使用して通信し、UE315は、ビーム320およびビーム322を含む複数の通信ビームを使用して通信する。
【００５０】
最初、アクセスノード305とUE315とはビームペアリンク（beam pair link（BPL））325を介して通信しており、BPL325はビーム310およびビーム322を含む。しかしながら、遮断またはUEのモビリティが原因で、BPL325に障害が発生する。UE315は、例えば、障害のあるビーム310を置き換えるためにアクセスノード305から候補ビーム312を検出する。UE315は、ビーム障害回復を開始してアクセスノード305にビーム障害回復要求（BFRQ）を送信する。ビーム障害回復が完了すると、BPL330（ビーム312およびビーム320を含む）が確立される。
【００５１】
2つ以上の参照信号、データ信号および／またはリソースが、それら2つ以上の参照信号、データ信号および／またはリソースが同様の特性を有するとみなされ得るように関連している場合、それらは疑似コロケートされた（QCL）関係を有すると言われる。QCL関係は、2つ以上の参照信号、データ信号および／またはリソースの間の時間関係、周波数関係、コード関係、および／または空間関係を指すことができ、空間QCLは、2つ以上の参照信号、データ信号および／またはリソースの間の空間関係のみを指す。空間QCL情報は、信号と、CSI−RSリソースや広帯域参照信号（wideband reference signal（WBRS））などのリソースとの間の関連付け、または個々のWBRS間の関連付け、またはCSI−RSリソースとビームフォーミングされたランダムアクセスチャネル（BRACH）との間の関連付けを含み得る。一例として、1対1の関連付けでは、各CSI−RS信号は、1つのWBRSと、そのCSI−RS信号の送信プリコーダがWBRSの送信プリコーダと同じになるように関連付けられる。別の例として、各CSI−RS信号は、1つのWBRSと、そのCSI−RS信号の送信プリコーダがWBRSの送信プリコーダと同じになるように関連付けられる。別の例として、第1のWBRSは、第2のWBRSと、第2のWBRSの送信プリコーダが第1のWBRSの送信プリコーダと同じになるように関連付けられる。複数のCSI−RS信号が単一のWBRSと関連付けられることが可能であり、その逆も同様である。空間QCL情報は、表形式で、または機器のメモリに格納され得る。空間QCL情報は、CSI−RSとWBRSとの間の関連付けを含む。空間QCL情報は、UEによって、例えば、WBRSビームインデックスからCSI−RSビームインデックスを、およびその逆を決定するために使用され得る。一例として、1対1の関連付けでは、各CSI−RS信号は1つのWBRSと関連付けられる。複数のCSI−RS信号が単一のWBRSと関連付けられることが可能であり、その逆も同様である。
【００５２】
3GPP RAN1 Ad Hoc 1801ミーティングで、専用の物理ランダムアクセスチャネル（PRACH）伝送に基づくビーム障害回復機構が論じられ、以下の合意がなされた。
ビーム障害検出（BFD）モデルについて、通信機器の物理（PHY）層のエンティティまたは機能は、ビーム障害（BF）インスタンスの検出を行う。PHY層エンティティは、BFインスタンスが検出された場合、上位層エンティティにフラグを伝達する。さらなる研究の領域には、PHY層エンティティが候補ビームリストおよびBFインスタンスを媒体アクセス制御（MAC）層エンティティに報告する必要がある場合、またはその必要があるかどうか、および非BFインスタンスが定義されるか、または必要であるかどうかが含まれる。
候補ビーム選択モデルへの（1つまたは複数の）変更には以下が含まれる。
PHY層エンティティは、各候補新ビームのレイヤ1参照信号受信電力（reference signal received power（RSRP））評価を行い、上位層エンティティに、レイヤ1 RSRP閾値を満足させる候補新ビームのサブセットについての情報（ビーム参照信号（RS）インデックスおよびレイヤ1 RSRP）を提供する。上位層エンティティがこの情報に基づいて新候補ビーム選択を行うことが予期される。
（1つもしくは複数の）RSインデックスと（1つもしくは複数の）RACHリソースまたは（1つもしくは複数の）シーケンスとの間のマッピングはMAC層エンティティで行われることに留意されたい。
候補ビーム選択モデルのサポートは3GPP RAN2仕様で規定されている。
ビーム障害回復タイマの挙動は以下を含む。UEによってBF検出イベントが宣言されるとビーム障害回復タイマを開始し、BF回復要求送信についてアクセスノードからの応答を受信するとビーム障害回復タイマを停止する。
3GPP RAN1の視点から、以下のうちの1つが満たされる場合、競合なしのPRACHベースのBF回復はうまくいかないと考えられる。ビーム障害回復タイマが満了したとき、または最大数のBFRQ送信に到達したとき。
上位層エンティティにBFインスタンスを伝達または指示する情報の送信は周期的であり、送信間隔は、BFD RSセットq＿0のBFD RSの最短周期によって決定される。送信間隔はまた、現在未定の時間値によっても制限される。評価がBFインスタンスのブロック誤り率（BLER）閾値を下回る場合、上位層エンティティに送信される情報はないことに留意されたい。
PHY層エンティティは、上位層エンティティからの要求があり次第、レイヤ1 RSRP閾値を満足させる1つまたは複数の｛ビームRSインデックスおよびレイヤ1 RSRP｝のセットを提供する。
【００５３】
旧来のBFD動作は以下のとおりであり得る。
測定周期T（上記で情報送信間隔とも呼ばれた）ごとに、
PHY層エンティティが、測定周期T中に発生するBFD RSセットq＿0のメンバであるBFD RSの信号品質を測定する。
測定周期T内のすべてのBFD RSの信号品質が閾値を下回る場合、PHY層エンティティは、MAC層エンティティなどの上位層エンティティにBFインスタンスを報告する。信号品質閾値としてBLERが使用される場合には、PHY層エンティティがBFインスタンスを報告するにはBLERは閾値を上回ることになることに留意されたい。
測定周期T内に閾値を上回る信号品質を有するBFD RSがある場合、PHY層エンティティは上位層エンティティにBFインスタンスを報告しない。
上位層エンティティがPHY層エンティティからN個の連続BFインスタンスを受け取った場合、上位層エンティティはBFを宣言する。
【００５４】
PHY層エンティティが信号品質を測定するための測定周期Tは、BFD RSセットq＿0内のBFD RSの最短周期と現在未定の時間値（パラメータとして指定され得る）のうちの大きい方であることに留意されたい。TはBFD RSセットq＿0内の任意のBFD RSの周期以上であるので、測定周期T内のBFD RSセットq＿0には少なくとも1つのBFD RSがある。よって、各測定周期Tで、PHY層エンティティはBFインスタンスが発生しているか否かの判断を行うことができる。しかしながら、BFD RSセットq＿0内のすべてのBFD RSが信号品質を評価されるとは限らない。BFD RSセットq＿0について、UEは、周期的なチャネル状態情報RS（CSI−RS）リソース構成、またはUEによって監視される物理下り制御チャネル（PDCCH）受信の復調RS（DMRS）とのQCL関係がある同期信号（SS）ブロックもしくは物理ブロードキャストチャネル（PBCH）ブロックに従ってのみ信号品質にアクセスする。したがって、BFD RSセットq＿0内の最短周期を有するBFD RSに、UEによって監視されるPDCCH受信のDMRSとのQCL関係がない場合、UEがどんなBFD RSも評価しないことになる1つまたは複数の測定周期がある確率は非ゼロである。この考察は、UEによって監視されるPDCCH受信のDMRSとのQCL関係があるBFD RSに基づいて測定周期の持続時間を決定することに焦点を当てているが、本明細書で提示される例示的実施形態は、UEによって監視される制御チャネルまたはデータチャネルの任意のDMRSとのQCL関係があるBFD RSで動作することができる。
【００５５】
UEが特定の測定周期内にどんなBFD RSも評価していない場合には、閾値を下回る信号品質を有するBFD RSがないことになる。したがって、PHY層エンティティが上位層エンティティに報告するためのBFインスタンスがないことになる。上位層エンティティが測定周期についてのPHY層エンティティからのBFインスタンス報告を受け取らない場合、上位層エンティティは、そのBFインスタンスを有する連続した測定周期を数えるためのカウンタをリセットすることになる。よって、BFD RSのBFが潜在的に見逃されることになる。
【００５６】
図4に、UEがBFD RSを評価していない測定周期を強調した第1の例示的なBFD RSのシーケンスの図400を示す。図4に示されるように、BFD RSセットq＿0は、2つのBFD RS、（RS＃1 405〜RS＃1 410を含む）円形の端部を有する縦線として示されているRS＃1と、（RS＃2 415〜RS＃2 417を含む）矢印の端部を有する縦線として示されているRS＃2とを含み、RS＃1にはUEによって監視されるPDCCH受信のDMRSとのQCL関係がなく、RS＃2にはUEによって監視されるPDCCH受信のDMRSとのQCL関係がある。言い換えると、UEはRS＃2を評価しRS＃1を評価しないことになる。さらに、RS＃2の周期はRS＃1の周期の2倍の長さであり、測定周期はRS＃1の周期によって決定される。加えて、ビーム障害につながる連続BFインスタンスの数は2（N＝2）であり、カウンタCによって維持される。図4には合計6つの測定周期、T0 420、T1 422、T2 424、T3 426、T4 428、およびT5 430が示されている。
【００５７】
RS＃1は、測定周期の持続時間がRS＃1の周期に基づいて決定されるので、各測定周期に見られる。しかしながら、RS＃2は、1つおきの測定周期でのみ見られる。一例として、RS＃2 415はT1 422にあり、RS＃2 416はT3 426にあり、RS＃2 417はT5 430にある。最初、RS＃1は良好であるが、T0 420の後、RS＃1には障害が発生し始める（障害のあるRSは×印で示されている）。
【００５８】
T0 420では、RS＃1 405が存在し、障害はない。しかしながら、UEはRS＃1を評価していないので、RS＃1 405に障害があるか否かにかかわらずBFインスタンスは報告されず、よってC＝0である。T1 422では、RS＃1 406に障害があり、RS＃2 415に障害はない。UEはRS＃2 415を評価し、RS＃2 415の信号品質は閾値を満たすと判断するので、たとえRS＃1 406に障害があってもBFインスタンスは報告されず、よってC＝0である。T2 424では、RS＃1 407のみが存在するので、BFインスタンスは報告されず、よってC＝0である。T3 426では、RS＃1 408に障害があり、RS＃2 416に障害はない。UEはRS＃2 416を評価し、RS＃2 416の信号品質は閾値を満たすと判断するので、たとえRS＃1 408に障害があってもBFインスタンスは報告されず、よってC＝0である。T4 428では、RS＃1 409のみが存在するので、BFインスタンスは報告されず、よってC＝0である。T5 430では、RS＃1 410に障害があり、RS＃2 417に障害はない。UEはRS＃2 417を評価し、RS＃2 417の信号品質は閾値を満たすと判断するので、たとえRS＃1 410に障害があってもBFインスタンスは報告されず、よってC＝0である。
【００５９】
図5に、UEがBFD RSを評価していない測定周期を強調した第2の例示的なBFD RSのシーケンスの図500を示す。図5に示されるように、BFD RSセットq＿0は、2つのBFD RS、（RS＃1 505〜RS＃1 510を含む）円形の端部を有する縦線として示されているRS＃1と、（RS＃2 515〜RS＃2 517を含む）矢印の端部を有する縦線として示されているRS＃2とを含み、RS＃1にはUEによって監視されるPDCCH受信のDMRSとのQCL関係がなく、RS＃2にはUEによって監視されるPDCCH受信のDMRSとのQCL関係がある。言い換えると、UEはRS＃2を評価しRS＃1を評価しないことになる。さらに、RS＃2の周期はRS＃1の周期の2倍の長さであり、測定周期はRS＃1の周期によって決定される。加えて、ビーム障害につながる連続BFインスタンスの数は2（N＝2）であり、カウンタCによって維持される。図5には合計6つの測定周期、T0 520、T1 522、T2 524、T3 526、T4 528、およびT5 530が示されている。
【００６０】
RS＃1は、測定周期の持続時間がRS＃1の周期に基づいて決定されるので、各測定周期に見られる。しかしながら、RS＃2は、1つおきの測定周期でのみ見られる。一例として、RS＃2 515はT1 522にあり、RS＃2 516はT3 526にあり、RS＃2 517はT5 530にある。最初、RS＃2は良好であるが、T1 522の後、RS＃2には障害が発生し始める（障害のあるRSは×印で示されている）。
【００６１】
T0 520では、RS＃1 505が存在し、障害はない。しかしながら、UEはRS＃1を評価していないので、RS＃1 505に障害があるか否かにかかわらずBFインスタンスは報告されず、よってC＝0である。T1 522では、RS＃1 506に障害はなく、RS＃2 515に障害はない。UEはRS＃2 515を評価し、RS＃2 515の信号品質は閾値を満たすと判断するので、BFインスタンスは報告されず、よってC＝0である。T2 524では、RS＃1 507のみが存在するので、BFインスタンスは報告されず、よってC＝0である。T3 526では、RS＃1 508に障害はなく、RS＃2 516に障害がある。UEはRS＃2 516を評価し、RS＃2 516の信号品質は閾値を満たさないと判断するので、BFインスタンスが報告され、よってC＝1である。T4 528では、RS＃1 509のみが存在するので、BFインスタンスは報告されず、よってCはリセットされる（C＝0）。T5 530では、RS＃1 510に障害はなく、RS＃2 517に障害がある。UEはRS＃2 517を評価し、RS＃2 517の信号品質は閾値を満たさないと判断するので、BFインスタンスが報告され、よってC＝1である。
【００６２】
いかなるBFD RSも含まない測定周期は、そのような測定周期に起因するBFインスタンスの欠如により連続BFインスタンスカウンタがリセットされることになり、発生しているBFが検出されない誤った状況につながるので、回避されるべきであることに留意されたい。
【００６３】
一例示的実施形態によれば、UEによって評価される少なくとも1つのBFD RSが各測定周期に存在する（かまたは存在すると予期される）ようにするために、測定周期は、UEによって監視されるPDCCH受信のDMRSとのQCL関係があるBFD RSセットq＿0の（1つまたは複数の）BFD RSの（1つまたは複数の）周期に従って決定される。一例示的実施形態によれば、UEによって評価される少なくとも1つのBFD RSが各測定周期に存在する（かまたは存在すると予期される）ようにするために、測定周期は、UEによって監視されるPDCCH受信のDMRSとのQCL関係があるBFD RSセットq＿0の（1つまたは複数の）BFD RSの（1つまたは複数の）周期と、1つまたは複数の所定の値とに従って決定される。実際に評価されているBFD RSの周期に従った測定周期の決定は、少なくとも1つの評価されたBFD RSが各測定周期に存在する（かまたは存在すると予期される）ことを確実にするのに役立つ。所定の値は、技術規格によって、または通信システムのオペレータによって指定され得る。
【００６４】
一例示的実施形態によれば、UEによって評価される少なくとも1つのBFD RSが各測定周期に存在する（かまたは存在すると予期される）ようにするために、測定周期は、UEによって監視されるPDCCH受信のDMRSとのQCL関係がない（1つまたは複数の）BFD RSを除くBFD RSセットq＿0の（1つまたは複数の）BFD RSの（1つまたは複数の）周期と、1つまたは複数の所定の値とに従って決定される。言い換えると、UEによって監視されるPDCCH受信のDMRSとのQCL関係がないBFD RSセットq＿0の（1つまたは複数の）BFD RSはBFD RSセットq＿0から除外され、測定周期は、BFD RSセットq＿0に残っている残りの（1つまたは複数の）BFD RSの（1つまたは複数の）周期に従って決定される。一例示的実施形態によれば、UEによって評価される少なくとも1つのBFD RSが各測定周期に存在する（かまたは存在すると予期される）ようにするために、測定周期は、UEによって監視されるPDCCH受信のDMRSとのQCL関係がない（1つまたは複数の）BFD RSを除くBFD RSセットq＿0の（1つまたは複数の）BFD RSの（1つまたは複数の）周期と、1つまたは複数の所定の値とに従って決定される。言い換えると、UEによって監視されるPDCCH受信のDMRSとのQCL関係がないBFD RSセットq＿0の（1つまたは複数の）BFD RSはBFD RSセットq＿0から除外され、測定周期は、BFD RSセットq＿0に残っている残りの（1つまたは複数の）BFD RSの（1つまたは複数の）周期と、1つまたは複数の所定の値とに従って決定される。
【００６５】
一例示的実施形態によれば、PHY層エンティティなどの層エンティティは、無線リンク品質が、UEによって監視されるPDCCH受信のDMRSとのQCL関係があるBFD RSセットq＿0の周期的なBFD RSの最短周期、または指定の時間値の最大値と一致する周期を有する閾値を満たさない場合に、上位層エンティティに知らせる。特定の測定周期について、無線リンク品質を判断することは、UEによって監視されるPDCCH受信のDMRSとのQCL関係がある、測定周期に存在する、BFD RSセットq＿0の1つまたは複数のBFD RSの信号品質を評価し、その1つまたは複数の信号品質を閾値と比較することを含み得る。1つまたは複数の全部の信号品質が閾値を満たさない場合、層エンティティは上位層エンティティにBFインスタンスを報告する。1つまたは複数の全部に満たない信号品質が閾値を満たさない場合、層エンティティは上位層エンティティにBFインスタンスを報告しない。閾値の一例がQ＿｛out，LR｝である。
【００６６】
一例示的実施形態によれば、PHY層エンティティなどの層エンティティは、無線リンク品質が、UEによって監視されるPDCCH受信のDMRSとのQCL関係があるBFD RSセットq＿0の周期的なBFD RSの最短周期と一致する周期を有する閾値を満たさない場合に、上位層エンティティに知らせる。特定の測定周期について、無線リンク品質を判断することは、UEによって監視されるPDCCH受信のDMRSとのQCL関係がある、測定周期に存在する、BFD RSセットq＿0の1つまたは複数のBFD RSの信号品質を評価し、その1つまたは複数の信号品質を閾値と比較することを含み得る。1つまたは複数の全部の信号品質が閾値を満たさない場合、層エンティティは上位層エンティティにBFインスタンスを報告する。1つまたは複数の全部に満たない信号品質が閾値を満たさない場合、層エンティティは上位層エンティティにBFインスタンスを報告しない。閾値の一例がQ＿｛out，LR｝である。
【００６７】
一例示的実施形態によれば、PHY層エンティティなどの層エンティティは、無線リンク品質が、UEによって無線リンク品質を評価するために使用される（BFD RSセットq＿0からの）周期的なBFD RSの最短周期と指定の時間値との最大値と一致する周期を有する閾値を満たさない場合に、上位層エンティティに知らせる。特定の測定周期について、無線リンク品質を判断することは、UEが無線リンク品質を評価する、測定周期に存在する、BFD RSセットq＿0の1つまたは複数のBFD RSの信号品質を評価し、1つまたは複数の信号品質を閾値と比較することを含み得る。1つまたは複数の全部の信号品質が閾値を満たさない場合、層エンティティは上位層エンティティにBFインスタンスを報告する。1つまたは複数の全部に満たない信号品質が閾値を満たさない場合、層エンティティは上位層エンティティにBFインスタンスを報告しない。閾値の一例がQ＿｛out，LR｝である。
【００６８】
セットq＿0について、UEは、周期的なCSI−RSリソース構成、またはUEによって監視されるPDCCH受信のDMRSと、3GPP TS38．214に記載されるように、疑似コロケートされたSSブロックもしくはPBCHブロックに従ってのみ無線リンク品質を評価する。UE内のPHY層エンティティは、UEが無線リンク品質を評価するために使用するセットq＿0内のすべての対応するリソース構成の無線リンク品質が、閾値Qout，LRなどの閾値より悪い場合、上位層エンティティに情報を提供する。PHY層エンティティは、周期的なCSI−RS構成、またはUEが無線リンク品質を評価するために使用するセットq＿0内のSSブロックもしくはPBCHブロックの最短周期と2ミリ秒との間の最大値によって決定される周期を有する閾値Qout，LRより悪い場合、上位層エンティティに知らせる。
【００６９】
一例示的実施形態によれば、PHY層エンティティなどの層エンティティは、無線リンク品質が、UEによって無線リンク品質を評価するために使用される（BFD RSセットq＿0からの）周期的なBFD RSの最短周期と一致する周期を有する閾値を満たさない場合に、上位層エンティティに知らせる。特定の測定周期について、無線リンク品質を判断することは、UEによって監視されるPDCCH受信のDMRSとのQCL関係がある、測定周期に存在する、BFD RSセットq＿0の1つまたは複数のBFD RSの信号品質を評価し、その1つまたは複数の信号品質を閾値と比較することを含み得る。1つまたは複数の全部の信号品質が閾値を満たさない場合、層エンティティは上位層エンティティにBFインスタンスを報告する。1つまたは複数の全部に満たない信号品質が閾値を満たさない場合、層エンティティは上位層エンティティにBFインスタンスを報告しない。閾値の一例がQ＿｛out，LR｝である。
【００７０】
図6に、無線リンク品質の評価において評価された周期的なBFD RSのみの最短周期に従って設定された持続時間を有する測定周期中に行われたBF測定を強調した第3の例示的なBFD RSのシーケンスの図600を示す。図6に示されるように、BFD RSセットq＿0は、2つのBFD RS、（RS＃1 605およびRS＃1 606を含む）円形の端部を有する縦線として示されているRS＃1と、（RS＃2 610〜RS＃2 612を含む）矢印の端部を有する縦線として示されているRS＃2とを含み、RS＃1にはUEによって監視されるPDCCH受信のDMRSとのQCL関係がなく、RS＃2にはUEによって監視されるPDCCH受信のDMRSとのQCL関係がある。言い換えると、UEはRS＃2を評価しRS＃1を評価しないことになる。さらに、RS＃2の周期はRS＃1の周期の2倍の長さであり、測定周期はRS＃2の周期によって決定される。加えて、ビーム障害につながる連続BFインスタンスの数は2（N＝2）であり、カウンタCによって維持される。図6には合計3つの測定周期、T0 615、T1 617、およびT2 619が示されている。
【００７１】
RS＃2は、測定周期の持続時間がRS＃2の周期に基づいて決定されるので、各測定周期に見られる（UEによって監視されるPDCCH受信のDMRSとのQCL関係があるBFD RSセットq＿0内のBFD RSのみ）。T0 615では、UEはRS＃2 610を評価し、RS＃2 610の信号品質は閾値を満たすと判断するので、BFインスタンスは報告されず、よってC＝0である。T1 617では、UEはRS＃2 611を評価し、RS＃2 611の信号品質は閾値を満たさないと判断するので、BFインスタンスが報告され、よってC＝1である。T2 619では、UEはRS＃2 612を評価し、RS＃2 612の信号品質は閾値を満たさないと判断するので、BFインスタンスが報告され、よってC＝2である。
【００７２】
C＝2なので、上位層エンティティはBFを宣言し、1つまたは複数の候補ビームを識別することを含み得る、BF回復手順、およびUEにサービスするアクセスノードへのBFRQの送信を開始し得る。
【００７３】
図7に、無線リンク品質の評価において評価された周期的なBFD RSのみの最短周期に従って設定された持続時間を有する測定周期中に行われたBF測定を強調した第4の例示的なBFD RSのシーケンスの図700を示す。図7に示されるように、BFD RSセットq＿0は、3つのBFD RS、（RS＃1 705およびRS＃1 706を含む）円形の端部を有する縦線として示されているRS＃1と、（RS＃2 710〜RS＃2 713を含む）塗りつぶし矢印の端部を有する縦線として示されているRS＃2と、（RS＃3 715およびRS＃3 716を含む）白抜き矢印の端部を有する縦線として示されているRS＃3とを含み、RS＃1にはUEによって監視されるPDCCH受信のDMRSとのQCL関係がなく、RS＃2およびRS＃3にはUEによって監視されるPDCCH受信のDMRSとのQCL関係がある。言い換えると、UEはRS＃2およびRS＃3を評価するが、RS＃1を評価しないことになる。さらに、RS＃2の周期はRS＃1の周期の2倍の長さであり、RS＃3の周期はRS＃1の周期の4倍の長さであり、測定周期はRS＃2の周期によって決定される。加えて、ビーム障害につながる連続BFインスタンスの数は2（N＝2）であり、カウンタCによって維持される。図7には合計4つの測定周期、T0 720、T1 722、T2 724、およびT3 726が示されている。
【００７４】
RS＃2は、測定周期の持続時間がRS＃2の周期に基づいて決定されるので、各測定周期に見られる（UEによって監視されるPDCCH受信のDMRSとのQCL関係があるBFD RSセットq＿0内の2つのBFD RSのうちのより小さい周期のBFD RS）。T0 720では、UEはRS＃2 710を評価し、RS＃2 710の信号品質は閾値を満たすと判断するので、BFインスタンスは報告されず、よってC＝0である。T1 722では、UEはRS＃2 711を評価し、信号品質は閾値を満たさないと判断し、UEはRS＃3 715を評価し、信号品質は閾値を満たすと判断する。評価されている2つのBFD RSのうちの1つだけの信号品質が閾値を満たすので、BFインスタンスは報告されず、よってC＝0である。T2 724では、UEはRS＃2 712を評価し、信号品質は閾値を満たさず、RS＃2 712は評価されているただ1つのBFD RSであると判断するので、BFインスタンスが報告され、よってC＝1である。T3 726では、UEはRS＃2 713を評価し、信号品質は閾値を満たさないと判断し、UEはRS＃3 716を評価し、信号品質は閾値を満たさないと判断する。評価されている2つのBFD RSの両方の信号品質が閾値を満たすので、BFインスタンスが報告され、よってC＝2である。
【００７５】
C＝2なので、上位層エンティティはBFを宣言し、1つまたは複数の候補ビームを識別することを含み得る、BF回復手順、およびUEにサービスするアクセスノードへのBFRQの送信を開始し得る。
【００７６】
一例示的実施形態によれば、PHY層エンティティなどの層エンティティは、無線リンク品質が、UEによって監視されるPDCCH受信のDMRSとのQCL関係があるBFD RSセットq＿0の周期的なBFD RSの最長周期、または指定の時間値の最小値と一致する周期を有する閾値を満たさない場合に、上位層エンティティに知らせる。
【００７７】
一例示的実施形態によれば、PHY層エンティティなどの層エンティティは、無線リンク品質が、UEによって監視されるPDCCH受信のDMRSとのQCL関係があるBFD RSセットq＿0の周期的なBFD RSの最長周期と一致する周期を有する閾値を満たさない場合に、上位層エンティティに知らせる。
【００７８】
一例示的実施形態によれば、PHY層エンティティなどの層エンティティは、無線リンク品質が、UEによって無線リンク品質を評価するために使用される（BFD RSセットq＿0からの）周期的なBFD RSの最長周期と指定の時間値との最小値と一致する周期を有する閾値を満たさない場合に、上位層エンティティに知らせる。
【００７９】
一例示的実施形態によれば、PHY層エンティティなどの層エンティティは、無線リンク品質が、UEによって無線リンク品質を評価するために使用される（BFD RSセットq＿0からの）周期的なBFD RSの最長周期と一致する周期と一致する周期を有する閾値を満たさない場合に、上位層エンティティに知らせる。
【００８０】
図8に、無線リンク品質の評価において評価された周期的なBFD RSのみの最長周期に従って設定された持続時間を有する測定周期中に行われたBF測定を強調した第5の例示的なBFD RSのシーケンスの図800を示す。図8に示されるように、BFD RSセットq＿0は、3つのBFD RS、（RS＃1 805およびRS＃1 806を含む）円形の端部を有する縦線として示されているRS＃1と、（RS＃2 810〜RS＃2 815を含む）塗りつぶし矢印の端部を有する縦線として示されているRS＃2と、（RS＃3 820〜RS＃3 822を含む）白抜き矢印の端部を有する縦線として示されているRS＃3とを含み、RS＃1にはUEによって監視されるPDCCH受信のDMRSとのQCL関係がなく、RS＃2およびRS＃3にはUEによって監視されるPDCCH受信のDMRSとのQCL関係がある。言い換えると、UEはRS＃2およびRS＃3を評価するが、RS＃1を評価しないことになる。さらに、RS＃2の周期はRS＃1の周期の2倍の長さであり、RS＃3の周期はRS＃1の周期の4倍の長さであり、測定周期はRS＃3の周期によって決定される。加えて、ビーム障害につながる連続BFインスタンスの数は2（N＝2）であり、カウンタCによって維持される。図8には合計3つの測定周期、T0 825、T1 827、およびT2 829が示されている。
【００８１】
RS＃2とRS＃3はどちらも、測定周期の持続時間がRS＃3の周期に基づいて決定されるので、各測定周期に見られる（UEによって監視されるPDCCH受信のDMRSとのQCL関係があるBFD RSセットq＿0内の2つのBFD RSのうちのより大きい周期のBFD RS）。T0 825では、UEはRS＃2 810およびRS＃2 811を評価し、RS＃2 810の信号品質は閾値を満たすが、RS＃2 811の信号品質は閾値を満たさないと判断し、UEはRS＃3 820を評価し、信号品質は閾値を満たさないと判断する。（たとえRS＃3 820も閾値を満たさなくても）評価されている2つのRS＃2のうちの1つだけの信号品質が閾値を満たすので、BFインスタンスは報告されず、よってC＝0である。T1 827では、UEはRS＃2 812およびRS＃2 813を評価し、どちらの信号品質も閾値を満たさないと判断し、UEはRS＃3 821を評価し、信号品質は閾値を満たさないと判断する。評価されている2つのBFD RSの両方の信号品質が閾値を満たさないので、BFインスタンスが報告され、よってC＝1である。T2 829では、UEはRS＃2 814およびRS＃2 815を評価し、どちらの信号品質も閾値を満たさないと判断し、UEはRS＃3 822を評価し、信号品質は閾値を満たさないと判断する。評価されている2つのBFD RSの両方の信号品質が閾値を満たさないので、BFインスタンスが報告され、よってC＝2である。
【００８２】
C＝2なので、上位層エンティティはBFを宣言し、1つまたは複数の候補ビームを識別することを含み得る、BF回復手順、およびUEにサービスするアクセスノードへのBFRQの送信を開始し得る。
【００８３】
上記の例示的実施形態に関して、以下が適用され得る。
UEは、アクセスノードについて、上位層パラメータを使用して周期的なBFD RS（周期的なCSI−RSなど）または関連付けられたインデックスのBFD RSセットq＿0で構成される。
UEに上位層パラメータが提供されない場合、UEは、UEがPDCCHを監視するように構成されるそれぞれの制御リソースセットのTCI状態によって伝えられたRSセット内のRSインデックスと同じ値を有するBFD RS（SSブロックもしくはPBCHブロックや周期的なCSI−RSリソースなど）インデックスを含むようにBFD RSセットq＿0を決定することができる場合がある。
BFD RSセットq＿0内の周期的なBFD RSリソースはシングルポートRSである。
UEは、BFD RSセットq＿0に従って無線リンク品質を評価し、（1つまたは複数の）BFD RSの信号品質を閾値と比較する。
閾値は、下り無線リンクを確実に受信できない、BLERに対応し得るレベルとして定義される。
UEは、UEによって監視されるPDCCH受信のDMRSとのQCL関係があるBFD RSに従ってのみ無線リンク品質を評価する。
UE内のPHY層エンティティは、BFD RSセットq＿0による無線リンク品質が評価されるスロットでは、UEが、無線リンク品質を判断するために使用するBFD RSセットq＿0のすべての対応するBFD RSの無線リンクが閾値を満たさない場合に、上位層エンティティにフラグまたは情報を提供する。
【００８４】
上記の例示的実施形態に関して、以下が適用され得る。
指定の数の連続BFインスタンスが発生した場合、ビーム障害が宣言され、BFインスタンスは、UEが無線リンク品質を評価するために使用するBFD RSセットq＿0のすべての対応するBFD RSの無線リンク品質が閾値を満たさない場合に発生し、各ビーム障害インスタンス測定の周期は、UEによって無線リンク品質を評価するために使用されない周期的なBFD RSの周期を除く、BFD RSセットq＿0の周期的なBFD RSの周期に基づくものである。
連続BFインスタンスの指定の数は所定の値である。
指定の数の連続BFインスタンスは、少なくとも所定の数の連続BFインスタンスが発生し、すべてのBFD RSに少なくとも1回障害が発生した場合に発生する。
【００８５】
図9に、BF測定を行い、しかるべく応答するUEにおいて行われる例示的な動作900の流れ図を示す。動作900は、UEがBF測定を行い、しかるべく応答する際に、UEのPHY層エンティティなど、UEで行われる動作を指示し得る。
【００８６】
UEが、UEによって無線リンク品質を評価するために使用されるBFD RSセットq＿0のBFD RSに従って測定周期を決定する（ブロック905）。一実施形態では、UEは、UEによって監視されるPDCCH受信のDMRSとのQCL関係があるBFD RSセットq＿0のBFD RSを使用する。一実施形態では、UEは、測定周期の持続時間を、UEが無線リンク品質を評価するために使用するBFD RSセットq＿0のBFD RSの最短周期と所定の値との間の最大値として決定する。一実施形態では、UEは、UEによって監視されるPDCCH受信のDMRSとのQCL関係がないBFD RSを除くBFD RSセットq＿0のBFD RSを使用する。一実施形態では、UEは、測定周期に関する情報を有するシグナリングを受信する。シグナリングは、MAC、または無線リソース制御（radio resource control（RRC））シグナリングであり得る。UEが、UEによって監視されるPDCCH受信のDMRSとのQCL関係があるBFD RSセットq＿0のBFD RSを監視する（ブロック907）。UEは、特定の測定周期内に存在するUEによって監視されるPDCCH受信のDMRSとのQCL関係があるBFD RSセットq＿0のBFD RSを監視する。任意の特定の測定周期内に存在するUEによって監視されるPDCCH受信のDMRSとのQCL関係があるBFD RSセットq＿0のBFD RSは、UEによって監視されるPDCCH受信のDMRSとのQCL関係があるBFD RSセットq＿0のBFD RSのサブセットであり得ることに留意されたい。UEが、特定の測定周期内にUEによって監視されるBFD RSに障害が発生したかどうかを判断するために検査を行う（ブロック909）。一例として、UEによって監視されるBFD RSは、その信号品質が信号品質閾値を満たさない場合に障害が発生している。一例として、UEによって監視されるBFD RSは、そのBLERがBLER閾値を満たさない場合に障害が発生している。特定の測定周期内にUEによって監視されるすべてのBFD RSに障害が発生した場合、UEはBFインスタンスを報告する（ブロック911）。BFインスタンスは、UEのMAC層エンティティなどの上位層エンティティに報告され得る。BFインスタンスは、特定の測定周期内にUEによって監視されるすべてのBFD RSに障害が発生したことを検出すると報告され得る。BFインスタンスは、特定の測定周期内にUEによって監視されるすべてのBFD RSに障害が発生したことを検出した同じ測定周期中に報告され得る。BFインスタンスは、特定の測定周期内にUEによって監視されるすべてのBFD RSに障害が発生したことを検出した測定周期の後の次の測定周期に報告され得る。UEは、特定の測定周期内にUEによって監視されるどのBFD RSに障害が発生したかを任意選択で報告し得る。UEはブロック907に戻って、別の測定周期のBFD RSを監視する。特定の測定周期内にUEによって監視されるすべてのBFD RSに障害が発生したわけではない場合、BFインスタンスは発生せず、報告されず、UEはブロック907に戻って、別の測定周期のBFD RSを監視する。
【００８７】
図10に、BFインスタンスを処理し、しかるべく応答するUEにおいて行われる例示的な動作1000の流れ図を示す。動作1000は、UEがBFインスタンスを処理し、しかるべく応答する際に、UEで、例えば、MAC層エンティティなどの上位層エンティティで行われる動作を指示し得る。
【００８８】
動作1000は、UEが、現在の測定報告についてのBFインスタンスの報告が受信されているかどうかを判断するために検査を行うことから開始する（ブロック1005）。一例として、UEの上位層エンティティ（MAC層エンティティなど）はUEのPHY層エンティティからBFインスタンスを受け取る。UEがBFインスタンスの報告を受け取っている場合、UEは連続BFインスタンスカウンタCを増分する（ブロック1007）。UEは、BFインスタンスでどのBFD RSに障害が発生したかに関する情報も受け取っている場合がある。UEがそのような情報を受け取った場合、UEはどのBFD RSに障害が発生したかに関する情報を更新し得る（ブロック1009）。
【００８９】
UEが、連続BFインスタンスカウントCの値がBFを宣言すべき連続BFインスタンスの指定の数を満たすかどうかを判断するために検査を行う（ブロック1011）。BFを宣言すべき連続BFインスタンスの指定の数は、技術規格において、または通信システムのオペレータによって指定され得る。あるいは、BFを宣言すべき連続BFインスタンスの指定の数は、通信システム内の機器によって協調して決定される。あるいは、BFを宣言すべき連続BFインスタンスの指定の数は、UEにサービスするアクセスノードによって決定され、UEに提供される。一例として、指定の数は、MACまたはRRCシグナリングを使用してUEに送信され得る。
【００９０】
連続BFインスタンスカウントCの値がBFを宣言すべき連続BFインスタンスの指定の数を満たす場合、UEは、UEによって評価されたすべてのBFD RSに少なくとも一回障害が発生しているかどうかを判断するために検査を行い得る（ブロック1013）。連続BFインスタンスカウントCの値がBFを宣言するための連続BFインスタンスの指定の数を満たし、（任意選択で）UEによって評価されたすべてのBFD RSに少なくとも1回障害が発生している場合、UEは、BFが発生していると判断する（ブロック1015）。このオプションでは、ブロック1011で検査された条件は、連続BFインスタンスカウントCの値が連続BFインスタンスの指定の数以上であるかどうかに変更され得ることに留意されたい。指定の数以上であるという条件は、すべてのBFD RSが障害があるとして検出されることを可能にするために追加時間が付与されるようにするのに役立ち得る。BFの発生によりBF回復手順が開始され、BF回復手順は、1つまたは複数の候補ビームの決定（識別など）、BFRQの伝送などを含み得る。BFRQは、ビームインデックス、コードインデックスなどといった1つまたは複数の候補ビームに関する情報を明示的に含み得る。BFRQは、1つまたは複数の候補ビームに関する情報を暗黙的に含み得る。一例として、BFRQは、1つまたは複数の候補ビームと関連付けられたビームを使用して伝送され得る。言い換えると、BFRQは、1つまたは複数の候補ビームに対応するビームを使用して伝送される。別の例では、BFRQは、1つまたは複数の候補ビームと関連付けられたリソースで伝送され得る。BF回復手順の後、UEはブロック1005に戻って、BFインスタンスの報告が受け取られているかどうかを判断するために検査を行う。
【００９１】
連続BFインスタンスカウントCの値がBFを宣言するための連続BFインスタンスの指定の数を満たさない場合、UEはブロック1005に戻って、BFインスタンスの報告が受け取られているかどうかを判断するために検査を行う。連続BFインスタンスカウントCの値はBFを宣言するための連続BFインスタンスの指定の数を満たすが、UEによって評価されたすべてのBFD RSに少なくとも1回障害が発生しているわけではない場合、UEはブロック1005に戻って、BFインスタンスの報告が受け取られているかどうかを判断するために検査を行う。
【００９２】
現在の測定報告についてのBFインスタンスが報告されていない場合、UEは、連続BFインスタンスカウントCをリセットし（ブロック1017）、UEはどのBFD RSに障害が発生したかに関する情報をリセットし得る（ブロック1019）。UEはブロック1005に戻って、BFインスタンスの報告が受け取られているかどうかを判断するために検査を行う。
【００９３】
前述のように、アクセスノードは、UEがビームフォーミングされた送信を適切に受信しているかどうかを判断する際にUEが使用するために測定周期内に1つまたは複数のBFD RSを送信し得る。アクセスノードは、異なる周期を有する異なるBFD RSを送信してもよいが、アクセスノードは通常、定期的に任意の1つのBFD RSを送信する。UEのPHY層のエンティティが、BFD RSが指定の品質閾値を満たすかどうかを判断するためにUEが測定周期に受信するBFD RSの測定を行う。測定周期内のすべてのBFD RSが指定の品質閾値を満たさない場合、その測定周期においてビーム障害インスタンスが発生したとみなされる。測定周期内のいずれかのBFD RSが指定の品質閾値を満たす場合、その測定周期においてビーム障害インスタンスが発生したとはみなされない。
【００９４】
PHY層エンティティが、測定周期においてビーム障害インスタンスが発生したと判断した場合、PHY層エンティティは、ビーム障害インスタンスに関する情報をUEのMAC層のエンティティに送る。PHY層エンティティは、ビーム障害インスタンスに関する情報をMAC層エンティティに周期的に送ってもよい。MAC層エンティティがPHY層エンティティからビーム障害インスタンスに関する情報を指定の連続した回数N受け取った場合、MAC層エンティティは、ビーム障害が発生していると宣言し得る。回数Nは、技術規格、通信システムのオペレータによって指定される、履歴データに基づいて設定される、通信機器間の協調によって設定されるなどであり得る。MAC層エンティティは、ビーム障害インスタンスが発生している連続した測定周期の数のカウンタを維持する。このカウンタは、MAC層エンティティが測定周期においてビーム障害インスタンスに関する情報を受け取らない場合、ゼロにリセットされる。
【００９５】
そのようなビーム障害検出シナリオで起こり得る問題が、たとえBFD RSが測定周期中に送信されるように構成されていても、場合によってはそのBFD RSが送信されない可能性があることである。例えば、3GPP技術規格では、構成済みの制御リソースセットとオーバーラップするか、または予約済みと宣言されたリソース要素は、マッピングプロセスではカウントされることになっているが、CSI−RSの送信に使用されるとは想定されていない。よって、UEは、特定の制御信号とオーバーラップするリソース要素においてCSI−RSを受信するとは予期していない。したがって、周期的なCSI−RSがスロットにおいてそのような制御信号とオーバーラップする場合、そのCSI−RSが送信されない可能性がある。そのような場合に周期的なCSI−RSがBFD RSとして使用されると、BFD RSが送信されるようにスケジュールされる期間にBFD RSが送信されなくなる。
【００９６】
言い換えると、アクセスノードは、CSI−RSを、指定の時間リソースセットまたは周波数リソースセットを使用して、周期的に、例えば10ミリ秒ごとに1回送信されるようにスケジュールする可能性もある。またアクセスノードは、制御信号などの他の信号を、CSI−RSのために周期的にスケジュールされた同じリソースでスケジュールし、CSI−RSと制御信号とをオーバーラップさせる可能性もある。そのような場合、制御シグナリングはより重要であるとみなされるので、アクセスノードは、CSI−RSを送信する代わりに制御情報を送信する。割り振りおよびマッピングに関して、CSI−RSはそれらのリソースにマップされているとみなされるが、送信されない。よって、UEは構成済みの制御信号とオーバーラップしたリソース要素ではCSI−RSを受信しない。そのようなCSI−RSがBFD RSとして使用される場合、UEは、BFD RSが予期され得る時間間隔でBFD RSを受信しない。
【００９７】
BFD RSが測定周期中に基地局によって送信されない場合、その測定周期中にその信号品質がビーム品質閾値を下回るBFD RSがないので、PHY層エンティティはMAC層エンティティにビーム障害インスタンスを報告しないことになる。ビーム障害インスタンスに関するPHY層エンティティからの報告がないので、MAC層エンティティは、その測定周期にはビーム障害インスタンスが発生していないとみなし、MAC層エンティティは、ビーム障害インスタンスの連続した発生を数えるためのそのカウンタをリセットする。カウンタはその場合、その測定周期でBFD RSが送信されており、ビーム障害インスタンスが発生していた場合と比較して誤った値を有する可能性もある。
【００９８】
言い換えると、現在は、測定周期中にBFD RSが送信されない場合、その測定周期は、ビーム障害インスタンスが発生していない周期であるとみなされる。
【００９９】
図11に、ビーム障害インスタンスの連続した発生を数えるためのカウンタに対するBFD RS送信なしの測定周期の影響をしかるべく強調した例示的なBFD RSのシーケンスの図1100を示す。図11に示されるように、各測定周期で1つのBFD RSが送信をスケジュールされている。例えば、BFD RS1105が測定周期1120で送信をスケジュールされ、UEにおいて、BFD RS1105の品質が指定の品質閾値を超えるので、ビーム障害インスタンスは宣言されない。よって、ビーム障害インスタンスの連続した発生を数えるためのカウンタ（以下カウンタCと呼ぶ）はゼロにリセットされる。さらに、BFD RS1106が測定周期1122で送信をスケジュールされ、BFD RS1107が測定周期1124で送信をスケジュールされ、BFD RS1108が測定周期1126で送信をスケジュールされる。しかしながら、BFD RS1106〜BFD RS1108の品質は指定の品質閾値を超えないので、ビーム障害インスタンスが測定周期1122〜測定周期1126で宣言され、カウンタCは各測定周期で増分されて、測定周期1126で値3に達する。
【０１００】
BFD RS1109が測定周期1128で送信をスケジュールされるが、BFD RS1109は、例えば、オーバーラップする制御信号が原因で送信されない。BFD RS1109はスケジュールされるが送信されないので、UEは、測定周期1128ではビーム障害インスタンスが発生しなかったとみなす。したがって、カウンタCはリセットされてゼロに戻る。BFD RS1110が測定周期1130で送信をスケジュールされ、送信される。UEでは、BFD RS1110の品質は指定の品質閾値を満たさないので、ビーム障害インスタンスが宣言され、カウンタCが1に増分される。カウンタCの値がビーム障害閾値を超えない（本例では4など）ので、たとえ送信された4つの連続したBFD RS（BFD RS1106、BFD RS1107、BFD RS1108、およびBFD RS1110）がUEで指定の品質閾値を満たさなかったとしても、ビーム障害は宣言されない。そのようなケースではビーム障害が宣言されるのが好ましい場合もある。
【０１０１】
一例示的実施形態によれば、測定周期中にBFD RSが送信されない場合、その測定周期は、ビーム障害インスタンスが発生していない測定周期であるとみなされない。言い換えると、測定周期中にBFD RSが送信されない場合には（その測定周期中にBFD RSがスケジュールされていないためか、またはBFD RSはスケジュールされたが、送信されなかった場合）、その測定周期は、ビーム障害インスタンスが発生していない測定周期であるとみなされない。一実施形態では、測定周期中にBFD RSが送信されない場合、その測定周期はカウンタCを更新する際に無視される。一実施形態では、測定周期中にBFD RSが送信されない場合、その測定周期は、ビーム障害インスタンスが発生した測定周期であるとみなされる。言い換えると、カウンタCは、BFD RSが送信されない測定周期中に増分される。
【０１０２】
図12に、BFD RS送信なしの測定周期の第1の考え方をしかるべく強調した例示的なBFD RSのシーケンスの図1200を示す。前述のように、BFD RS送信なしの測定周期の第1の考え方は、カウンタCを更新する際にその測定周期を無視することである。図12に示されるように、各測定周期で1つのBFD RSが送信をスケジュールされている。例えば、BFD RS1205が測定周期1220で送信をスケジュールされ、UEにおいて、BFD RS1205の品質が指定の品質閾値を超えるので、ビーム障害インスタンスが宣言されない。よって、カウンタCはゼロにリセットされる。さらに、BFD RS1206が測定周期1222で送信をスケジュールされ、BFD RS1207が測定周期1224で送信をスケジュールされ、BFD RS1208が測定周期1226で送信をスケジュールされる。しかしながら、BFD RS1206〜BFD RS1208の品質は指定の品質閾値を超えないので、ビーム障害インスタンスが測定周期1222〜測定周期1226で宣言され、カウンタCは各測定周期で増分されて、測定周期1226で値3に達する。
【０１０３】
BFD RS1209が測定周期1228で送信をスケジュールされるが、BFD RS1209は、例えば、オーバーラップする制御信号が原因で送信されない。BFD RS1209はスケジュールされるが送信されないので、測定周期1228はカウンタCを更新する際に無視される。よって、測定周期1228のカウンタCは3のままである。言い換えると、測定周期1228の場合のように、測定周期にBFD RSがない場合、カウンタCがゼロにリセットされるのではなく、一実施形態では、測定周期1228の場合のように、測定周期にBFD RSがない場合、カウンタCの値は変更されない。よって、測定周期1228では、カウンタCは、測定周期1226で有していた値を保持することが分かる。BFD RS1210が測定周期1230で送信をスケジュールされ、送信される。UEでは、BFD RS1210の品質は指定の品質閾値を満たさないので、ビーム障害インスタンスが宣言され、カウンタCが4に増分される。カウンタCがビーム障害閾値を超えると、ビーム障害が宣言される。
【０１０４】
図13に、BFD RS送信なしの測定周期の第2の考え方をしかるべく強調した例示的なBFD RSのシーケンスの図1300を示す。前述のように、BFD RS送信なしの測定周期の第2の考え方は、測定周期をビーム障害インスタンスを有する測定周期として扱うことである。前述のように、BFD RS送信なしの測定周期の第2の考え方は、カウンタCを増分することである。図13に示されるように、各測定周期で1つのBFD RSが送信をスケジュールされる。例えば、BFD RS1305が測定周期1320で送信をスケジュールされ、UEにおいて、BFD RS1305の品質が指定の品質閾値を超えるので、ビーム障害インスタンスが宣言されない。よって、カウンタCはゼロにリセットされる。さらに、BFD RS1306が測定周期1322で送信をスケジュールされ、BFD RS1307が測定周期1324で送信をスケジュールされ、BFD RS1308が測定周期1326で送信をスケジュールされる。しかしながら、BFD RS1306〜BFD RS1308の品質は指定の品質閾値を超えないので、ビーム障害インスタンスが測定周期1322〜測定周期1326で宣言され、カウンタCは各測定周期で増分されて、測定周期1326で値3に達する。
【０１０５】
BFD RS1309が測定周期1328で送信をスケジュールされるが、BFD RS1309は、例えば、オーバーラップする制御信号が原因で送信されない。BFD RS1309はスケジュールされるが送信されないので、測定周期1328でビーム障害インスタンスが発生しているとみなされ、カウンタCが4に増分される。言い換えると、測定周期1328の場合のように、測定周期にBFD RSがない場合、カウンタCがゼロにリセットされるのではなく、一実施形態では、測定周期1328の場合のように、測定周期にBFD RSがない場合、カウンタCの値は1増分される。よって、測定周期1328では、カウンタCの値が3から4に増分されることが分かる。カウンタCがビーム障害閾値を超えると、ビーム障害が宣言される。
【０１０６】
場合によっては、PHY層エンティティが、測定周期でBFD RS送信が行われたか否かを知っている可能性もある。一実施形態では、PHY層エンティティがMAC層エンティティにビーム障害インスタンスを報告するとき、PHY層エンティティは報告に、その測定周期でBFD RS送信が行われたか否かを伝える情報を含める。
【０１０７】
場合によっては、MAC層エンティティが、測定周期でBFD RS送信が行われなかったことを知っている可能性もある。それを知らない場合、MAC層エンティティは、ビーム障害インスタンスに関するPHY層エンティティからの報告がないときにはビーム障害が発生しなかったと想定し得る。一実施形態では、MAC層エンティティが、測定周期でBFD RS送信が行われなかったことを知っている場合、MAC層エンティティは、MAC層エンティティがビーム障害インスタンスに関するPHY層エンティティからの報告を受け取らなかったことを無視する。
【０１０８】
図14に、ビーム障害をしかるべく判断するためにBFD RSを検出するUEにおいて行われる第1の例示的な動作1400の流れ図を示す。動作1400は、UEがビーム障害を判断するためにBFD RSを検出する際にUEで行われる動作を指示し得る。
【０１０９】
動作1400は、UEが、測定周期で1つまたは複数のBFD RSが送信されたかどうかを判断するために検査を行うことから開始する（ブロック1405）。一例として、1つまたは複数のBFD RSは、それらが送信をスケジュールされ、かつ制御信号とオーバーラップしなかった場合に測定周期で送信される。その測定周期で送信されたBFD RSがない場合、UEは戻って引き続きBFD RSを監視するおよびブロック1405。測定周期で1つまたは複数のBFD RSが送信された場合、UEは、BFD RSの信号品質が指定の品質閾値より低いかどうかを判断するために検査を行う（ブロック1407）。BFD RSの信号品質が指定の品質閾値より低い場合には、UEは、ビーム障害インスタンスの発生を宣言する（ブロック1409）。一例として、その測定周期で送信された複数のBFD RSがある場合、UEがビーム障害インスタンスは発生していると宣言するには、BFD RSのすべての信号品質が指定の品質閾値よりも低くなければならない。UEは、ビーム障害インスタンスカウンタ（カウンタCなど）を増分する（ブロック1411）。
【０１１０】
UEは、ビーム障害インスタンスカウンタがビーム障害閾値を超えるかどうかを判断するために検査を行う（ブロック1413）。ビーム障害インスタンスカウンタがビーム障害閾値を超える場合、UEは、ビーム障害に関する情報を有するメッセージを送信する（ブロック1415）。ビーム障害インスタンスカウンタがビーム障害閾値を超えない場合、UEは戻って引き続きBFD RSを監視するおよびブロック1405。
【０１１１】
BFD RSの信号品質が指定の品質閾値以上である場合、UEは、ビーム障害インスタンスは発生していないと宣言する（ブロック1417）。一例として、その測定周期で送信された複数のBFD RSがある場合、UEがビーム障害インスタンスは発生していないと宣言するには、BFD RSの信号品質のうちの1つだけが指定の品質閾値以上でありさえすればよい。UEはまたビーム障害インスタンスカウンタをリセットする（ブロック1419）。UEは、例えば、ビーム障害インスタンスカウンタをゼロにリセットする。UEは戻って引き続きBFD RSを監視するおよびブロック1405。
【０１１２】
図15に、ビーム障害をしかるべく判断するためにBFD RSを検出するUEにおいて行われる第2の例示的な動作1500の流れ図を示す。動作1500は、UEがビーム障害を判断するためにBFD RSを検出する際にUEで行われる動作を指示し得る。
【０１１３】
動作1500は、UEが、測定周期で1つまたは複数のBFD RSが送信されたかどうかを判断するために検査を行うことから開始する（ブロック1505）。一例として、1つまたは複数のBFD RSは、それらが送信をスケジュールされ、かつ制御信号とオーバーラップしなかった場合に測定周期で送信される。測定周期で1つまたは複数のBFD RSが送信された場合、UEは、BFD RSの信号品質が指定の品質閾値より低いかどうかを判断するために検査を行う（ブロック1507）。BFD RSの信号品質が指定の品質閾値より低い場合には、UEは、ビーム障害インスタンスの発生を宣言する（ブロック1509）。一例として、その測定周期で送信された複数のBFD RSがある場合、UEがビーム障害インスタンスは発生していると宣言するには、BFD RSのすべての信号品質が指定の品質閾値よりも低くなければならない。UEは、ビーム障害インスタンスカウンタ（カウンタCなど）を増分する（ブロック1511）。
【０１１４】
UEは、ビーム障害インスタンスカウンタがビーム障害閾値を超えるかどうかを判断するために検査を行う（ブロック1513）。ビーム障害インスタンスカウンタがビーム障害閾値を超える場合、UEは、ビーム障害に関する情報を有するメッセージを送信する（ブロック1515）。ビーム障害インスタンスカウンタがビーム障害閾値を超えない場合、UEは戻って引き続きBFD RSを監視するおよびブロック1505。
【０１１５】
BFD RSの信号品質が指定の品質閾値以上である場合、UEは、ビーム障害インスタンスは発生していないと宣言する（ブロック1517）。一例として、その測定周期で送信された複数のBFD RSがある場合、UEがビーム障害インスタンスは発生していないと宣言するには、BFD RSの信号品質のうちの1つだけが指定の品質閾値以上でありさえすればよい。UEはまた、ビーム障害インスタンスカウンタを、例えばゼロにリセットする（ブロック1519）。UEは戻って引き続きBFD RSを監視するおよびブロック1505。
【０１１６】
その測定周期で1つまたは複数のBFD RSが送信されなかった場合、UEはビーム障害インスタンスの発生を宣言する（ブロック1509）。言い換えると、その測定周期で送信されたBFD RSがなかった場合、UEはビーム障害インスタンスの発生を宣言する。UEは、ビーム障害インスタンスカウンタ（カウンタCなど）を増分する（ブロック1511）。UEは、ビーム障害インスタンスカウンタがビーム障害閾値を超えるかどうかを判断するために検査を行う（ブロック1513）。ビーム障害インスタンスカウンタがビーム障害閾値を超える場合、UEは、ビーム障害に関する情報を有するメッセージを送信する（ブロック1515）。ビーム障害インスタンスカウンタがビーム障害閾値を超えない場合、UEは戻って引き続きBFD RSを監視するおよびブロック1505。
【０１１７】
図16に、例示的な通信システム1600を示す。一般に、システム1600は、複数の無線ユーザまたは有線ユーザがデータおよび他のコンテンツを送受信することを可能にする。システム1600は、符号分割多元接続（CDMA）、時分割多元接続（TDMA）、周波数分割多元接続（FDMA）、直交FDMA（OFDMA）、単一搬送波FDMA（SC−FDMA）、または非直交多元接続（NOMA）などの、1つまたは複数のチャネルアクセス方法を実施し得る。
【０１１８】
この例では、通信システム1600は、電子機器（ED）1610a〜1610cと、無線アクセスネットワーク（RAN）1620a〜1620bと、コアネットワーク1630と、公衆交換電話網（PSTN）1640と、インターネット1650と、その他のネットワーク1660とを含む。図16には特定の数のこれらの構成要素または要素が示されているが、システム1600には任意の数のこれらの構成要素または要素が含まれていてもよい。
【０１１９】
ED1610a〜ED1610cは、システム1600において動作／または通信するように構成される。例えば、ED1610a〜ED1610cは、無線通信チャネルまたは有線通信チャネルを介して送信または受信するように構成される。各ED1610a〜ED1610cは、任意の適切なエンドユーザデバイスを表しており、ユーザ機器もしくはユーザデバイス（UE）、無線送受信ユニット（WTRU）、移動局、固定式もしくは移動式加入者ユニット、携帯電話機、パーソナルデジタルアシスタント（PDA）、スマートフォン、ラップトップ、コンピュータ、タッチパッド、無線センサ、または家電機器などの機器を含み得る（またはそのように呼ばれ得る）。
【０１２０】
この場合のRAN1620a〜RAN1620bは、それぞれ、基地局1670a〜基地局1670bを含んでいる。各基地局1670a〜基地局1670bは、コアネットワーク1630、PSTN1640、インターネット1650、またはその他のネットワーク1660へのアクセスを可能にするために、ED1610a〜ED1610cのうちの1台または複数と無線でインターフェースするように構成される。例えば、基地局1670a〜基地局1670bは、無線基地局（BTS）、ノードB（NodeB）、進化型ノードB（eNodeB）、次世代（NG）ノードB（gNB）、ホームノードB、ホームeNodeB、サイトコントローラ、アクセスポイント（AP）、または無線ルータなどの、いくつかの周知の機器のうちの1つまたは複数を含む（かまたはそれらであり得る）。ED1610a〜ED1610cは、インターネット1650とインターフェースおよび通信するように構成され、コアネットワーク1630、PSTN1640、またはその他のネットワーク1660にアクセスし得る。
【０１２１】
図16に示される実施形態では、基地局1670aはRAN1620aの一部を形成しており、RAN1620aは、他の基地局、要素、および／または機器を含み得る。また基地局1670bもRAN1620bの一部を形成しており、RAN1620bは、他の基地局、要素、および／または機器を含み得る。各基地局1670a〜1670bは、「セル」と呼ばれることもある特定の地理的領域またはエリア内で無線信号を送信または受信するように動作する。いくつかの実施形態では、セルごとに複数の送受信機を有する多入力多出力（MIMO）技術が用いられ得る。
【０１２２】
基地局1670a〜基地局1670bは、無線通信リンクを使用して1つまたは複数のエアインターフェース1690上でED1610a〜ED1610cのうちの1台または複数と通信する。エアインターフェース1690は、任意の適切な無線アクセス技術を利用し得る。
【０１２３】
システム1600は、上述したような方式を含む、複数のチャネルアクセス機能を使用し得ることが企図されている。特定の実施形態では、基地局およびEDは、5G新無線（NR）、LTE、LTE−A、またはLTE−Bを実施する。当然ながら、他の多元接続方式および無線プロトコルが利用されてもよい。
【０１２４】
RAN1620a〜RAN1620bは、ED1610a〜ED1610cに音声、データ、アプリケーション、VoIP（Voice over Internet Protocol）、または他のサービスを提供するためにコアネットワーク1630と通信する。当然のことながら、RAN1620a〜RAN1620bまたはコアネットワーク1630は、1つまたは複数の他のRAN（図示されてない）と直接または間接的に通信し得る。コアネットワーク1630は、（PSTN1640、インターネット1650、その他のネットワーク1660などの）他のネットワークのためのゲートウェイアクセスとしての役割も果たし得る。加えて、ED1610a〜ED1610cの一部または全部が、異なる無線技術またはプロトコルを使用して異なる無線リンク上で異なる無線ネットワークと通信するための機能を含んでいてもよい。無線通信の代わりに（または無線通信に加えて）、各EDは有線通信チャネルを介してサービスプロバイダまたはスイッチ（図示されていない）、およびインターネット1650と通信してもよい。
【０１２５】
図16は通信システムの一例を示しているが、図16には様々な変更が加えられ得る。例えば、通信システム1600は、任意の台数のED、基地局、ネットワーク、または他の構成要素を任意の適切な構成に含むこともできる。
【０１２６】
図17Aおよび図17Bに、本開示による方法および教示を実施し得る例示的機器を示す。特に、図17Aには例示的なED1710を示し、図17Bには例示的な基地局1770を示す。これらの構成要素を、システム1600で、または任意の他の適切なシステムで使用することができる。
【０１２７】
図17Aに示されるように、ED1710は、少なくとも1つの処理装置1700を含む。処理装置1700は、ED1710の様々な処理動作を実施する。例えば、処理装置1700は、信号符号化、データ処理、電力制御、入力／出力処理、またはED1710がシステム1600で動作できるようにする任意の他の機能を行うことができる。処理装置1700は、以上でより詳細に記載されている方法および教示もサポートする。各処理装置1700は、1つまたは複数の動作を行うように構成された任意の適切な処理または計算デバイスを含む。各処理装置1700は、例えば、マイクロプロセッサ、マイクロコントローラ、デジタル信号プロセッサ、フィールドプログラマブルゲートアレイ、または特定用途向け集積回路を含むことができる。
【０１２８】
ED1710は、少なくとも1つの送受信機1702も含む。送受信機1702は、少なくとも1つのアンテナまたはNIC（ネットワークインターフェースコントローラ）1704による送信のためにデータまたは他のコンテンツを変調するように構成される。送受信機1702は、少なくとも1つのアンテナ1704によって受信されたデータまたは他のコンテンツを復調するようにも構成される。各送受信機1702は、無線送信もしくは有線送信のための信号を生成するか、または無線もしくは有線で受信された信号を処理するための任意の適切な構造を含む。各アンテナ1704は、無線信号または有線信号を送信または受信するための任意の適切な構造を含む。ED1710では1つまたは複数の送受信機1702を使用することができ、またED1710では1つまたは複数のアンテナ1704を使用することができる。単一の機能ユニットとして図示されているが、送受信機1702を、少なくとも1つの送信機と少なくとも1つの別個の受信機とを使用して実施することもできる。
【０１２９】
ED1710は、1つまたは複数の入力／出力装置1706またはインターフェース（インターネット1650への有線インターフェースなど）をさらに含む。入力／出力装置1706は、ユーザまたはネットワーク内の他の機器とのインタラクション（ネットワーク通信）を円滑化する。各入力／出力装置1706は、ネットワークインターフェース通信を含む、スピーカ、マイクロフォン、キーパッド、キーボード、ディスプレイ、またはタッチスクリーンなどの、ユーザに情報を提供し、またはユーザから情報を受け取るための任意の適切な構造を含む。
【０１３０】
加えて、ED1710は、少なくとも1つのメモリ1708を含む。メモリ1708は、ED1710によって使用、生成、または収集される命令およびデータを格納する。例えば、メモリ1708は、（1つまたは複数の）処理装置1700によって実行されるソフトウェア命令またはファームウェア命令、および着信信号における干渉を低減または除去するために使用されるデータを格納することもできる。各メモリ1708は、任意の適切な揮発性または不揮発性の記憶装置および（1つもしくは複数の）検索装置を含む。ランダムアクセスメモリ（RAM）、読取り専用メモリ（ROM）、ハードディスク、光ディスク、加入者識別モジュール（SIM）カード、メモリスティック、セキュアデジタル（SD）メモリカードなどといった、任意の適切なタイプのメモリが使用され得る。
【０１３１】
図17Bに示されるように、基地局1770は、少なくとも1つの処理装置1750と、送信機と受信機の機能を含む少なくとも1つの送受信機1752と、1つまたは複数のアンテナ1756と、少なくとも1つのメモリ1758と、1つまたは複数の入力／出力装置またはインターフェース1766とを含む。処理装置1750には、当業者には理解されるスケジューラが結合されている。スケジューラを、基地局1770内に含めることもでき、または基地局1770とは別個に動作させることもできる。処理装置1750は、信号符号化、データ処理、電力制御、入力／出力処理、または任意の他の機能などの、基地局1770の様々な処理動作を実施する。処理装置1750は、以上でより詳細に記載されている方法および教示をサポートすることもできる。各処理装置1750は、1つまたは複数の動作を行うように構成された任意の適切な処理または計算デバイスを含む。各処理装置1750は、例えば、マイクロプロセッサ、マイクロコントローラ、デジタル信号プロセッサ、フィールドプログラマブルゲートアレイ、または特定用途向け集積回路を含むことができる。
【０１３２】
各送受信機1752は、1台または複数のEDまたは他の機器への無線送信または有線送信の信号を生成するための任意の適切な構造を含む。各送受信機1752は、1台または複数のEDまたは他の機器から無線または有線で受信された信号を処理するための任意の適切な構造をさらに含む。送受信機1752として組み合わされて示されているが、送信機と受信機とを別々の構成要素とすることもできる。各アンテナ1756は、無線信号または有線信号を送信または受信するための任意の適切な構造を含む。ここでは共通のアンテナ1756が送受信機1752に結合されているものとして図示されているが、（1つまたは複数の）送受信機1752に1つまたは複数のアンテナ1756を結合して、別々の構成要素として装備される場合に送信機と受信機とに別々のアンテナ1756を結合できるようにすることもできる。各メモリ1758は、任意の適切な揮発性または不揮発性の記憶装置および（1つもしくは複数の）検索装置を含む。各入力／出力装置1766は、ユーザまたはネットワーク内の他の機器とのインタラクション（ネットワーク通信）を円滑化する。各入力／出力装置1766は、ネットワークインターフェース通信を含む、ユーザに情報を提供するか、またはユーザから情報を受け取る／提供するための任意の適切な構造を含む。
【０１３３】
図18は、本明細書で開示されるデバイスおよび方法を実施するために使用され得るコンピューティングシステム1800のブロック図である。例えば、コンピューティングシステムは、UE、アクセスネットワーク（AN）、モビリティ管理（MM）、セッション管理（SM）、ユーザプレーンゲートウェイ（UPGW）、またはアクセス層（AS）の任意のエンティティであり得る。個別のデバイスは、図示のすべての構成要素またはこれらの構成要素の一部のみを利用することができ、統合のレベルはデバイスごとに異なり得る。さらに、1台のデバイスが、複数の処理装置、プロセッサ、メモリ、送信機、受信機などといった、1つの構成要素の複数のインスタンスを含んでいてもよい。コンピューティングシステム1800は処理装置1802を含む。処理装置は、中央処理装置（CPU）1814、メモリ1808を含み、バス1820に接続された大容量記憶装置1804、ビデオアダプタ1810、および入出力インターフェース1812をさらに含み得る。
【０１３４】
バス1820は、メモリバスもしくはメモリコントローラ、周辺バス、またはビデオバスを含む任意のタイプのいくつかのバスアーキテクチャのうちの1つまたは複数であり得る。CPU1814は、任意のタイプの電子データプロセッサを含み得る。メモリ1808は、スタティックランダムアクセスメモリ（SRAM）、ダイナミックランダムアクセスメモリ（DRAM）、シンクロナスDRAM（SDRAM）、読取り専用メモリ（ROM）、またはこれらの組み合わせなどの任意のタイプの非一時的なシステムメモリを含み得る。一実施形態では、メモリ1808は、起動時に使用するためのROM、ならびにプログラムの実行中に使用するためのプログラムおよびデータ記憶用のDRAMを含み得る。
【０１３５】
大容量記憶装置1804は、データ、プログラム、および他の情報を格納し、それらのデータ、プログラム、および他の情報にバス1820を介してアクセス可能にするように構成された任意のタイプの非一時的な記憶装置を含み得る。大容量記憶装置1804は、例えば、ソリッドステートドライブ、ハードディスクドライブ、磁気ディスクドライブ、または光ディスクドライブのうちの1つまたは複数を含み得る。
【０１３６】
ビデオアダプタ1810および入出力インターフェース1812は、外部入力出力装置を処理装置1802に結合するためのインターフェースを提供する。図示のように、入力出力装置の例には、ビデオアダプタ1810に結合されたディスプレイ1818、および入出力インターフェース1812に結合されたマウス、キーボード、またはプリンタ1816が含まれる。処理装置1802には他のデバイスが結合されていてもよく、追加のインターフェースカードまたはより少ないインターフェースカードが利用されてもよい。例えば、外部デバイスのインターフェースを提供するために、ユニバーサルシリアルバス（USB）（図示されていない）などのシリアルインターフェースが使用され得る。
【０１３７】
処理装置1802は1つまたは複数のネットワークインターフェース1806も含み、ネットワークインターフェース1806は、アクセスノードまたは異なるネットワークへの、イーサネット(登録商標)ケーブルなどの有線リンクまたは無線リンクを含み得る。ネットワークインターフェース1806は、処理装置1802が、ネットワークを介してリモートユニットと通信することを可能にする。例えば、ネットワークインターフェース1806は、1つまたは複数の送信機／送信アンテナおよび1つまたは複数の受信機／受信アンテナを介した無線通信を提供し得る。一実施形態では、処理装置1802は、他の処理装置、インターネット、またはリモート記憶設備などのリモートデバイスとのデータ処理および通信のために、ローカルエリアネットワーク1822または広域ネットワークに結合されている。
【０１３８】
本明細書で提供される実施形態の方法の1つまたは複数のステップは対応するユニットまたはモジュールによって行われ得ることを理解されたい。例えば、信号は、送信ユニットまたは送信モジュールによって送信され得る。信号は、受信ユニットまたは受信モジュールによって受信され得る。信号は、処理ユニットまたは処理モジュールによって処理され得る。他のステップは、決定ユニットもしくはモジュール、報告ユニットもしくはモジュール、増分ユニットもしくはモジュール、宣言ユニットもしくはモジュール、更新ユニットもしくはモジュール、リセットユニットもしくはモジュール、検出ユニットもしくはモジュール、または監視ユニットもしくはモジュール、によって行われ得る。それぞれのユニットまたはモジュールは、ハードウェア、ソフトウェア、またはそれらの組み合わせであり得る。例えば、ユニットまたはモジュールのうちの1つまたは複数は、フィールドプログラマブルゲートアレイ（FPGA）や特定用途向け集積回路（ASIC）などの集積回路であり得る。
【０１３９】
本開示および本開示の利点を詳細に説明したが、添付の特許請求の範囲によって定義される本開示の趣旨および範囲を逸脱することなく本発明において様々な変更、置換および修正を行い得ることを理解されたい。
【符号の説明】
【０１４０】
100  通信システム
105  アクセスノード
110  ビーム
112  ビーム
115  ユーザ機器（UE）
120  ビーム
122  ビーム
200  通信システム
205  アクセスノード
210  UE
220  下りチャネル
222  物理下り共有チャネル（PDSCH）
224  物理下り制御チャネル（PDCCH）
230  上りチャネル
232  物理上り制御チャネル（PUCCH）
234  物理ランダムアクセスチャネル（PRACH）
300  無線通信システム
305  アクセスノード
310  ビーム
312  ビーム
315  UE
320  ビーム
322  ビーム
325  ビームペアリンク（BPL）
330  BPL
400  第1の例示的なBFD RSのシーケンスの図
405  RS＃1
406  RS＃1
407  RS＃1
408  RS＃1
409  RS＃1
410  RS＃1
415  RS＃2
416  RS＃2
417  RS＃2
420  測定周期T0
422  測定周期T1
424  測定周期T2
426  測定周期T3
428  測定周期T4
430  測定周期T5
500  第2の例示的なBFD RSのシーケンスの図
505  RS＃1
506  RS＃1
507  RS＃1
508  RS＃1
509  RS＃1
510  RS＃1
515  RS＃2
516  RS＃2
517  RS＃2
520  測定周期T0
522  測定周期T1
524  測定周期T2
526  測定周期T3
528  測定周期T4
530  測定周期T5
600  第3の例示的なBFD RSのシーケンスの図
605  RS＃1
606  RS＃1
610  RS＃2
611  RS＃2
612  RS＃2
615  測定周期T0
617  測定周期1
619  測定周期T2
700  第4の例示的なBFD RSのシーケンスの図
705  RS＃1
706  RS＃1
710  RS＃2
711  RS＃2
712  RS＃2
713  RS＃2
715  RS＃3
716  RS＃3
720  測定周期T0
722  測定周期T1
724  測定周期T2
726  測定周期T3
800  第5の例示的なBFD RSのシーケンスの図
805  RS＃1
806  RS＃1
810  RS＃2
811  RS＃2
812  RS＃2
813  RS＃2
814  RS＃2
815  RS＃2
820  RS＃3
821  RS＃3
822  RS＃3
825  測定周期T0
827  測定周期T1
829  測定周期T2
900  例示的な動作の流れ図
1000  例示的な動作の流れ図
1100  例示的なBFD RSのシーケンスの図
1105  BFD RS
1106  BFD RS
1107  BFD RS
1108  BFD RS
1109  BFD RS
1110  BFD RS
1120  測定周期
1122  測定周期
1124  測定周期
1126  測定周期
1128  測定周期
1130  測定周期
1200  例示的なBFD RSのシーケンスの図
1205  BFD RS
1206  BFD RS
1207  BFD RS
1208  BFD RS
1209  BFD RS
1210  BFD RS
1220  測定周期
1222  測定周期
1224  測定周期
1226  測定周期
1228  測定周期
1230  測定周期
1300  例示的なBFD RSのシーケンスの図
1305  BFD RS
1306  BFD RS
1307  BFD RS
1308  BFD RS
1309  BFD RS
1320  測定周期
1322  測定周期
1324  測定周期
1326  測定周期
1328  測定周期
1400  第1の例示的な動作の流れ図
1500  第2の例示的な動作の流れ図
1600  通信システム
1610a  電子機器（ED）
1610b  ED
1610c  ED
1620a  無線アクセスネットワーク（RAN）
1620b  RAN
1630  コアネットワーク
1640  公衆交換電話網（PSTN）
1650  インターネット
1660  その他のネットワーク
1670a  基地局
1670b  基地局
1690  エアインターフェース
1700  処理装置
1702  送受信機
1704  アンテナまたはNIC（ネットワークインターフェースコントローラ）
1706  入力／出力装置
1708  メモリ
1710  ED
1750  処理装置
1752  送受信機
1756  アンテナ
1758  メモリ
1766  入力／出力装置
1770  基地局
1800  コンピューティングシステム
1802  処理装置
1804  大容量記憶装置
1806  ネットワークインターフェース
1808  メモリ
1810  ビデオアダプタ
1812  入出力インターフェース
1814  中央処理装置（CPU）
1816  マウス／キーボード／プリンタ
1818  ディスプレイ
1820  バス
1822  ネットワーク
【図１】
2021513272.tif 000003
【図２】
2021513272.tif 000004
【図３】
2021513272.tif 000005
【図４】
2021513272.tif 000006
【図５】
2021513272.tif 000007
【図６】
2021513272.tif 000008
【図７】
2021513272.tif 000009
【図８】
2021513272.tif 000010
【図９】
2021513272.tif 000011
【図１０】
2021513272.tif 000012
【図１１】
2021513272.tif 000013
【図１２】
2021513272.tif 000014
【図１３】
2021513272.tif 000015
【図１４】
2021513272.tif 000016
【図１５】
2021513272.tif 000017
【図１６】
2021513272.tif 000018
【図１７Ａ】
2021513272.tif 000019
【図１７Ｂ】
2021513272.tif 000020
【図１８】
2021513272.tif 000021
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
ビーム監視方法であって、前記方法が、
端末が、測定周期に基づいてビーム検出を行うステップであって、前記測定周期の持続時間が、ビーム障害検出（BFD）参照信号（RS）セットのすべての周期的なRSの周期に基づいて決定され、前記すべての周期的なRSに、前記端末によって監視される制御チャネルの復調RS（DMRS）との疑似コロケートされた（QCL）関係がある、ステップと、
前記端末が、測定周期のいずれかでビーム障害（BF）インスタンスが生成されると判断するステップであって、ビーム障害（BF）インスタンスが生成されることが、前記すべての周期的なRSの測定値が指定の閾値より低いことを含む、ステップと、
前記端末が、生成された1つまたは複数のBFに基づいてネットワーク機器にビーム障害回復要求（BFRQ）を送信するステップと
を含む、ビーム監視方法。
【請求項２】
前記制御チャネルが物理下り制御チャネル（PDCCH）である、請求項1に記載の方法。
【請求項３】
前記測定周期持続時間が、BFD RSセットのすべての周期的な参照信号（RS）の周期に基づいて決定されることが、
前記測定周期持続時間が前記すべての周期的なBFD RSの周期の最短周期に基づいて決定されることを含む、請求項1または2に記載の方法。
【請求項４】
前記測定周期持続時間が、BFD RSセットのすべての周期的な参照信号（RS）の周期に基づいて決定されることが、
前記測定周期持続時間が前記すべての周期的なBFD RSの周期の最短周期と指定の値との最大値に基づいて決定されることを含む、請求項1または2または3に記載の方法。
【請求項５】
ネットワーク機器にビーム障害回復要求（BFRQ）を送信するステップの前に、前記方法が、
前記端末が、生成された1つまたは複数のBFインスタンスに基づいてBFが発生したと判断するステップと、
前記端末が、候補ビームを識別するステップと、
前記端末が、前記候補ビームに基づいてビーム障害回復要求（BFRQ）を送信するステップと
をさらに含む、請求項1から4のいずれか一項に記載の方法。
【請求項６】
前記端末が、生成された1つまたは複数のBFインスタンスに基づいてBFが発生したと判断するステップが、
指定の持続時間内に生成されたBFインスタンスの数が指定の閾値以上である場合、前記端末が、前記BFが発生すると判断することを含む、請求項5に記載の方法。
【請求項７】
端末であって、前記端末が、送受信機とプロセッサとを含み、
前記プロセッサが、測定周期持続時間を決定し、前記測定周期持続時間が、ビーム障害検出（BFD）参照信号（RS）セットのすべての周期的なRSの周期に基づいて決定され、前記すべての周期的なRSに、前記端末によって監視される制御チャネルの復調RS（DMRS）との疑似コロケートされた（QCL）関係がある、ように構成され、
前記プロセッサが、ビーム障害（BF）インスタンスが測定周期のいずれかで生成されると判断し、ビーム障害（BF）インスタンスが生成されることが、すべての周期的なRSの前記測定値が指定の閾値より低いことを含む、ようにさらに構成され、
前記送受信機が、発生した前記1つまたは複数のBFに基づいてネットワーク機器にビーム障害回復要求（BFRQ）を送信するように構成される、端末。
【請求項８】
前記制御チャネルが物理下り制御チャネル（PDCCH）である、請求項7に記載の端末。
【請求項９】
前記測定周期持続時間が、BFD RSセットのすべての周期的な参照信号（RS）の周期に基づいて決定されることが、
前記測定周期持続時間が前記すべての周期的なBFD RSの周期の最短周期に基づいて決定されることを含む、請求項7または8に記載の端末。
【請求項１０】
前記測定周期持続時間が、BFD RSセットのすべての周期的な参照信号（RS）の周期に基づいて決定されることが、
前記測定周期持続時間が前記すべての周期的なBFD RSの周期の最短周期と指定の値との最大値に基づいて決定されることを含む、請求項7または8または9に記載の端末。
【請求項１１】
前記プロセッサが、生成された1つまたは複数のBFインスタンスに基づいてBFが発生したと判断するようにさらに構成され、
前記プロセッサが、候補ビームを識別するようにさらに構成され、
前記送受信機が、前記候補ビームに基づいてビーム障害回復要求（BFRQ）を送信するようにさらに構成される、
請求項7から10のいずれか一項に記載の端末。
【請求項１２】
生成された1つまたは複数のBFインスタンスに基づいてBFが発生したと判断することが、
指定の持続時間内に生成されたBFインスタンスの数が指定の閾値以上である場合、前記プロセッサが、前記BFが発生すると判断することを含む、請求項11に記載の端末。
【請求項１３】
通信装置であって、前記通信装置が、送受信部と処理部とを含み、
前記処理部が、測定周期持続時間を決定し、前記測定周期持続時間が、ビーム障害検出（BFD）参照信号（RS）セットのすべての周期的なRSの周期に基づいて決定され、前記すべての周期的なRSに、前記端末によって監視される制御チャネルの復調RS（DMRS）との疑似コロケートされた（QCL）関係がある、ように構成され、
前記処理部が、ビーム障害（BF）インスタンスが測定周期のいずれかで生成されると判断し、ビーム障害（BF）インスタンスが生成されることが、すべての周期的なRSの前記測定値が指定の閾値より低いことを含む、ように構成され、
前記送受信部が、発生した1つまたは複数のBFに基づいてネットワーク機器にビーム障害回復要求（BFRQ）を送信するように構成される、通信装置。
【請求項１４】
前記制御チャネルが物理下り制御チャネル（PDCCH）である、請求項13に記載の通信装置。
【請求項１５】
前記測定周期持続時間が、BFD RSセットのすべての周期的な参照信号（RS）の周期に基づいて決定されることが、
前記測定周期持続時間が前記すべての周期的なBFD RSの周期の最短周期に基づいて決定されることを含む、請求項13または14に記載の通信装置。
【請求項１６】
前記測定周期持続時間が、BFD RSセットのすべての周期的な参照信号（RS）の周期に基づいて決定されることが、
前記測定周期持続時間が前記すべての周期的なBFD RSの周期の最短周期と指定の値との最大値に基づいて決定されることを含む、請求項13または14または15に記載の通信装置。
【請求項１７】
前記処理部が、生成された1つまたは複数のBFインスタンスに基づいてBFが発生したと判断するようにさらに構成され、
前記処理部が、候補ビームを識別するようにさらに構成され、
前記送受信部が、前記候補ビームに基づいてビーム障害回復要求（BFRQ）を送信するようにさらに構成される、
請求項13から16のいずれか一項に記載の通信装置。
【請求項１８】
生成された1つまたは複数のBFインスタンスに基づいてBFが発生したと判断することが、
指定の持続時間内の生成されたBFインスタンスの数が指定の閾値以上である場合、前記処理部が、前記BFが発生すると判断することを含む、請求項17に記載の通信装置。
【請求項１９】
前記処理部がプロセッサであり、前記送受信部が送受信機である、請求項13から18のいずれか一項に記載の通信装置。
【請求項２０】
1つまたは複数の処理部と通信インターフェースとを含む、通信装置であって、
前記1つまたは複数の処理部が、前記通信装置が請求項1から6のいずれか一項に記載のビーム監視方法を行うように、命令を実行するように構成され、
前記通信インターフェースが、信号を入力および／または出力するように構成される、通信装置。
【請求項２１】
通信装置であって、
命令を含むメモリストレージと、
前記通信装置が請求項1から6のいずれか一項に記載のビーム監視方法を行うように、命令を実行するように構成される、前記メモリストレージと通信する1つまたは複数のプロセッサと
を含む、通信装置。
【請求項２２】
命令を含むコンピュータ可読記憶媒体であって、前記命令が電子機器上で動作すると、前記電子機器が請求項1から6のいずれか一項に記載のビーム監視方法を行えるようになる、コンピュータ可読記憶媒体。
【請求項２３】
ビーム監視方法であって、前記方法が、
端末が、測定周期持続時間を決定するステップであって、前記測定周期持続時間が、ビーム障害検出（BFD）参照信号（RS）セットの1つまたは複数の周期的なBFD RSの周期に基づいて決定され、前記BFD RSセットの前記1つまたは複数の周期的なBFD RSが、前記端末によって監視される制御チャネル受信の復調参照信号（DMRS）と疑似コロケートされ、前記BFD RSセットの前記1つまたは複数の周期的なBFD RSが、前記端末によって無線リンク品質を評価するために使用される、ステップと、
前記端末が、測定周期のいずれかにおいて前記無線リンク品質が指定の閾値より悪いと判断した場合、前記端末が、ビーム障害（BF）インスタンスを報告するステップと
を含む、ビーム監視方法。
【請求項２４】
前記無線リンク品質が前記指定の閾値より悪いと判断することが、前記1つまたは複数の周期的なBFD RSのすべての周期的なBFD RSの測定値が前記指定の閾値を満たさないと判断することを含む、請求項23に記載の方法。
【請求項２５】
前記制御チャネルが物理下り制御チャネル（PDCCH）である、請求項23または24に記載の方法。
【請求項２６】
測定周期持続時間を決定するステップであって、前記測定周期持続時間が、ビーム障害検出（BFD）参照信号（RS）セットの1つまたは複数の周期的なBFD RSの周期に基づいて決定される、ステップが、
前記端末が、前記1つまたは複数の周期的なBFD RSの周期の最短周期に基づいて前記測定周期持続時間を決定するステップを含む、請求項23、24、または25に記載の方法。
【請求項２７】
測定周期持続時間を決定するステップであって、前記測定周期持続時間が、ビーム障害検出（BFD）参照信号（RS）セットの1つまたは複数の周期的なBFD RSの周期に基づいて決定される、ステップが、
前記端末が、前記1つまたは複数の周期的なBFD RSの周期の最短周期と指定の値との最大値に基づいて前記測定周期持続時間を決定するステップを含む、請求項23から26のいずれか一項に記載の方法。
【請求項２８】
前記端末が、ビーム障害（BF）インスタンスを報告するステップが、
前記端末の物理層エンティティが前記ビーム障害（BF）インスタンスを、前記物理層エンティティより上位の上位層エンティティに報告することを含む、請求項23から27のいずれか一項に記載の方法。
【請求項２９】
前記端末が、1つまたは複数の報告されたBFインスタンスに基づいてBFが発生していると判断するステップと、
前記端末が、候補ビームを識別するステップと、
前記端末が、前記候補ビームに基づいてビーム障害回復要求（BFRQ）を送信するステップと
をさらに含む、請求項23から28のいずれか一項に記載の方法。
【請求項３０】
前記端末が、1つまたは複数の報告されたBFインスタンスに基づいてBFが発生していると判断するステップが、
報告されたBFインスタンスの数が指定の時間内に指定の閾値以上である場合、前記端末が前記BFが発生すると判断するステップを含む、請求項23から29のいずれか一項に記載の方法。
【請求項３１】
通信装置であって、前記通信装置が、送受信部と処理部とを含み、
前記処理部が、測定周期持続時間を決定し、前記測定周期持続時間が、ビーム障害検出（BFD）参照信号（RS）セットの1つまたは複数の周期的なBFD RSの周期に基づいて決定され、前記BFD RSセットの前記1つまたは複数の周期的なBFD RSが、前記装置によって監視される制御チャネル受信の復調参照信号（DMRS）と疑似コロケートされ、前記BFD RSセットの前記1つまたは複数の周期的なBFD RSが、前記装置によって無線リンク品質を評価するために使用される、ように構成され、
前記処理部が、測定周期のいずれかにおいて前記無線リンク品質が指定の閾値より悪いと判断した場合、ビーム障害（BF）インスタンスを報告するようにさらに構成される、通信装置。
【請求項３２】
前記無線リンク品質が前記指定の閾値より悪いと判断することが、前記1つまたは複数の周期的なBFD RSのすべての周期的なBFD RSの測定値が前記指定の閾値を満たさないと判断することを含む、請求項31に記載の通信装置。
【請求項３３】
前記制御チャネルが物理下り制御チャネル（PDCCH）である、請求項31または32に記載の通信装置。
【請求項３４】
前記処理部が、
前記1つまたは複数の周期的なBFD RSの周期の最短周期に基づいて前記測定周期持続時間を決定するように特に構成される、請求項31、32、または33に記載の通信装置。
【請求項３５】
前記処理部が、
前記1つまたは複数の周期的なBFD RSの周期の最短周期と指定の値との最大値に基づいて前記測定周期持続時間を決定するように特に構成される、請求項31から34のいずれか一項に記載の通信装置。
【請求項３６】
前記処理部が、
物理層エンティティを使用して、前記ビーム障害（BF）インスタンスを、前記物理層エンティティより上位の上位層エンティティに報告するように特に構成される、請求項31から35のいずれか一項に記載の通信装置。
【請求項３７】
前記処理部が、1つまたは複数の報告されたBFインスタンスに基づいてBFが発生していると判断し、候補ビームを識別する、ようにさらに構成され、
前記送受信部が、前記候補ビームに基づいてビーム障害回復要求（BFRQ）を送信するように構成される、請求項31から36のいずれか一項に記載の通信装置。
【請求項３８】
前記処理部が、報告されたBFインスタンスの数が指定の時間内に指定の閾値以上である場合、前記端末が前記BFが発生すると判断するように特に構成される、請求項31から37のいずれか一項に記載の通信装置。
【請求項３９】
前記処理部がプロセッサであり、前記送受信部が送受信機である、請求項31から38のいずれか一項に記載の通信装置。
【請求項４０】
1つまたは複数の処理部と通信インターフェースとを含む、通信装置であって、
前記1つまたは複数の処理部が、前記通信装置が請求項23から30のいずれか一項に記載のビーム監視方法を行うように、命令を実行するように構成され、
前記通信インターフェースが、信号を入力および／または出力するように構成される、通信装置。
【請求項４１】
通信装置であって、
命令を含むメモリストレージと、
前記通信装置が請求項23から30のいずれか一項に記載のビーム監視方法を行うように、命令を実行するように構成される、前記メモリストレージと通信する1つまたは複数のプロセッサとを含む、通信装置。
【請求項４２】
命令を含むコンピュータ可読記憶媒体であって、前記命令が電子機器上で動作すると、前記電子機器が請求項23から30のいずれか一項に記載のビーム監視方法を行えるようになる、コンピュータ可読記憶媒体。
【国際調査報告】
2021513272.tif 000022
2021513272.tif 000023